(57)【要約】【課題】太陽光発電装置の通年のエネルギー変換効率を高める。【解決手段】鉛直面の下方に対する傾き角度がαの取り付け対象面に設けられた複数の太陽光部材であって、太陽光を受光する受光面を有する前記太陽光部材を備えた太陽光発電装置である。夏至の南中時における太陽の南方に対する仰角を夏至仰角θｓとし、冬至の南中時における太陽の南方に対する仰角を冬至仰角θｗとし、春分或いは秋分となる日の南中時における太陽の南方に対する仰角を春秋分仰角θｍとした場合に、前記鉛直面の下方に対する受光面の傾き角度θ１が、春秋分仰角θｍよりも大きく夏至仰角θｓ以下の範囲（θｍ＜θ１≦θｓ）の任意の角度に設定された第１太陽光部材と、前記鉛直面の下方に対する受光面の傾き角度θ２が、冬至仰角θｗ以上で春秋分仰角θｍよりも小さい範囲（θｗ≦θ２＜θｍ）の任意の角度に設定された第２太陽光部材と、を有する。【選択図】図１
2013168515.tif 000002
【特許請求の範囲】
【請求項１】
鉛直面の下方に対する傾き角度がαの取り付け対象面に設けられた複数の太陽光部材であって、太陽光を受光する受光面を有する前記太陽光部材を備えた太陽光発電装置において、
夏至の南中時における太陽の南方に対する仰角を夏至仰角θｓとし、冬至の南中時における太陽の南方に対する仰角を冬至仰角θｗとし、春分或いは秋分となる日の南中時における太陽の南方に対する仰角を春秋分仰角θｍとした場合に、
前記鉛直面の下方に対する受光面の傾き角度θ１が、春秋分仰角θｍよりも大きく夏至仰角θｓ以下の範囲（θｍ＜θ１≦θｓ）の任意の角度に設定された第１太陽光部材と、
前記鉛直面の下方に対する受光面の傾き角度θ２が、冬至仰角θｗ以上で春秋分仰角θｍよりも小さい範囲（θｗ≦θ２＜θｍ）の任意の角度に設定された第２太陽光部材と、を有することを特徴とする太陽光発電装置。
【請求項２】
請求項１に記載の太陽光発電装置であって、
前記第１太陽光部材の受光面の前記傾き角度θ１は、前記夏至仰角θｓと同値に設定され、
前記第２太陽光部材の受光面の前記傾き角度θ２は、前記冬至仰角θｗと同値に設定され、
前記鉛直面の下方に対する前記取り付け対象面の傾き角度αに関して、該取り付け対象面が前記鉛直面の下方と平行な状態を０°（α＝０°）と定義し、該取り付け対象面における上端位置よりも下端位置の方が、前記鉛直面の法線方向に沿う側方方向の外方に位置するような傾き状態を正値（α＞０）と定義した場合に、
前記傾き角度αは、前記夏至仰角θｓ−９０°よりも大きく前記冬至仰角θｗ以下の範囲（θｓ−９０°＜α≦θｗ）の任意の角度に設定されており、
前記第１太陽光部材の上端縁よりも下端縁の方が、前記取り付け対象面の法線方向の外方に位置して設けられ、
前記第２太陽光部材の上端縁よりも下端縁の方が、前記取り付け対象面の法線方向の外方に位置して設けられていることを特徴とする太陽光発電装置。
【請求項３】
請求項２に記載の太陽光発電装置であって、
前記第１太陽光部材は、前記取り付け対象面上に上下方向に並んで複数設けられているとともに、前記複数の第１太陽光部材は、それぞれ、上端縁が前記取り付け対象面に当接して固定されており、
上下方向に隣り合う前記第１太陽光部材同士のうちで、上側の第１太陽光部材の上端縁と下端縁との間の長さがＬ１である場合に、
下側の第１太陽光部材の上端縁は、前記上側の第１太陽光部材の上端縁の位置から前記取り付け対象面に沿う方向の下方にＬ１／ｃｏｓ（θｓ−α）以上離れた位置に固定されていることを特徴とする太陽光発電装置。
【請求項４】
請求項２又は３に記載の太陽光発電装置であって、
前記第２太陽光部材は、前記取り付け対象面上に上下方向に並んで複数設けられているとともに、前記複数の第２太陽光部材は、それぞれ、上端縁が前記取り付け対象面に当接して固定されており、
上下方向に隣り合う前記第２太陽光部材同士のうちで、上側の第２太陽光部材の上端縁と下端縁との間の長さがＬ２である場合に、
下側の第２太陽光部材の上端縁は、前記上側の第２太陽光部材の上端縁の位置から前記取り付け対象面に沿う方向の下方にＬ２／ｃｏｓ（θｗ−α）以上離れた位置に固定されていることを特徴とする太陽光発電装置。
【請求項５】
請求項２乃至４の何れかに記載の太陽光発電装置であって、
上下方向に隣り合う前記第１太陽光部材同士の間に、前記第２太陽光部材が配置されていることを特徴とする太陽光発電装置。
【請求項６】
請求項１に記載の太陽光発電装置であって、
前記第１太陽光部材の受光面の前記傾き角度θ１は、前記夏至仰角θｓと同値に設定され、
前記第２太陽光部材の受光面の前記傾き角度θ２は、前記冬至仰角θｗと同値に設定され、
前記鉛直面の下方に対する前記取り付け対象面の傾き角度αに関して、該取り付け対象面が鉛直面の下方と平行な状態を０°（α＝０°）と定義し、該取り付け対象面における上端位置よりも下端位置の方が前記鉛直面の法線方向に沿う側方方向の外方に位置するような傾き状態を正値（α＞０）と定義した場合に、
前記傾き角度αは、前記冬至仰角θｗよりも大きく前記夏至仰角θｓよりも小さい範囲（θｗ＜α＜θｓ）の任意の角度に設定されており、
前記第１太陽光部材の上端縁よりも下端縁の方が、前記取り付け対象面の法線方向の外方に位置して設けられ、
前記第２太陽光部材の下端縁よりも上端縁の方が、前記取り付け対象面の法線方向の外方に位置して設けられていることを特徴とする太陽光発電装置。
【請求項７】
請求項１に記載の太陽光発電装置であって、
前記鉛直面の下方に対する前記取り付け対象面の傾き角度αに関して、該取り付け対象面が前記鉛直面の下方と平行な状態を０°（α＝０°）と定義し、該取り付け対象面における上端位置よりも下端位置の方が前記鉛直面の法線方向に沿う側方方向の外方に位置するような傾き状態を正値（α＞０）と定義した場合に、
前記傾き角度αは、前記冬至仰角θｗよりも大きく前記夏至仰角θｓよりも小さい範囲（θｗ＜α＜θｓ）の任意の角度に設定されており、
前記第１太陽光部材の上端縁よりも下端縁の方が、前記取り付け対象面の法線方向の外方に位置して設けられ、
前記第２太陽光部材の下端縁よりも上端縁の方が、前記取り付け対象面の法線方向の外方に位置して設けられており、
前記第１太陽光部材の受光面の前記傾き角度θ１を、前記春秋仰角θｍよりも大きく前記夏至仰角θｓ以下の範囲（θｍ＜θ１≦θｓ）内で変更する第１変更機構を有し、
前記第２太陽光部材の受光面の前記傾き角度θ２を、前記冬至仰角θｗ以上で前記春秋仰角θｍよりも小さい範囲（θｗ≦θ２＜θｍ）内で変更する第２変更機構を有することを特徴とする太陽光発電装置。
【請求項８】
請求項７に記載の太陽光発電装置であって、
前記第１変更機構及び前記第２変更機構として、
前記第１太陽光部材の下端縁と前記第２太陽光部材の上端縁とを、互いの相対回転を許容しつつ連結する第１連結部と、
前記第１太陽光部材の上端縁及び前記第２太陽光部材の下端縁のうちの一方の端縁を、前記取り付け対象面との相対回転を許容しつつ前記取り付け対象面に沿う方向の上下にスライド移動可能に連結する第２連結部と、
前記第１太陽光部材の上端縁及び前記第２太陽光部材の下端縁のうちの他方の端縁を、前記取り付け対象面との相対回転を許容しつつ前記取り付け対象面に沿う方向の上下にスライド移動不能に連結する第３連結部と、
前記一方の端縁をスライド移動する駆動源と、を有することを特徴とする太陽光発電装置。
【請求項９】
請求項８に記載の太陽光発電装置であって、
互いに連結された前記第１太陽光部材と前記第２太陽光部材とは、太陽光部材対をなし、
複数の前記太陽光部材対が、前記取り付け対象面に沿う方向の上下に並んで所定ピッチで前記取り付け対象面に設けられており、
前記第１太陽光部材の上端縁と下端縁との間の長さがＬ１であり、前記第２太陽光部材の上端縁と下端縁との間の長さがＬ２である場合に、
前記所定ピッチは、Ｌ１＋Ｌ２以上の値に設定されていることを特徴とする太陽光発電装置。
【請求項１０】
請求項１に記載の太陽光発電装置であって、
前記第１太陽光部材の受光面の前記傾き角度θ１は、前記夏至仰角θｓと同値に設定され、
前記第２太陽光部材の受光面の前記傾き角度θ２は、前記冬至仰角θｗと同値に設定され、
前記鉛直面の下方に対する前記取り付け対象面の傾き角度αに関して、該取り付け対象面が前記鉛直面の下方と平行な状態を０°（α＝０°）と定義し、該取り付け対象面における上端位置よりも下端位置の方が前記鉛直面の法線方向に沿う側方方向の外方に位置するような傾き状態を正値（α＞０）と定義した場合に、
前記傾き角度αは、前記夏至仰角θｓ以上で前記冬至仰角θｗ＋９０°よりも小さい範囲（θｓ≦α＜θｗ＋９０°）の任意の角度に設定されており、
前記第１太陽光部材の前記側方方向の外端縁よりも前記側方方向の内端縁の方が、前記取り付け対象面の法線方向の外方に位置して設けられ、
前記第２太陽光部材の前記側方方向の外端縁よりも前記側方方向の内端縁の方が、前記取り付け対象面の法線方向の外方に位置して設けられていることを特徴とする太陽光発電装置。
【請求項１１】
請求項１０に記載の太陽光発電装置であって、
前記第２太陽光部材は、前記取り付け対象面上に前記側方方向に並んで複数設けられているとともに、前記複数の第２太陽光部材は、それぞれ、前記側方方向の外端縁が前記取り付け対象面に当接して固定されており、
前記側方方向に隣り合う前記第２太陽光部材同士のうちで、前記側方方向の外側の第２太陽光部材の外端縁と内端縁との間の長さがＬ２である場合に、
前記側方方向の内側の第２太陽光部材の外端縁は、前記外側の第２太陽光部材の外端縁の位置から前記取り付け対象面に沿う方向の内方にＬ２／ｃｏｓ（α−θｗ）以上離れた位置に固定されていることを特徴とする太陽光発電装置。
【請求項１２】
請求項１０又は１１に記載の太陽光発電装置であって、
前記第１太陽光部材は、前記取り付け対象面上に前記側方方向に並んで複数設けられているとともに、前記複数の第１太陽光部材は、それぞれ、前記側方方向の外端縁が前記取り付け対象面に当接して固定されており、
前記側方方向に隣り合う前記第１太陽光部材同士のうちで、前記側方方向の外側の第１太陽光部材の外端縁と内端縁との間の長さがＬ１である場合に、
前記側方方向の内側の第１太陽光部材の外端縁は、前記外側の第１太陽光部材の外端縁の位置から前記取り付け対象面に沿う方向の内方にＬ１／ｃｏｓ（α−θｓ）以上離れた位置に固定されていることを特徴とする太陽光発電装置。
【請求項１３】
請求項１０乃至１２の何れかに記載の太陽光発電装置であって、
前記側方方向に隣り合う前記第２太陽光部材同士の間に、前記第１太陽光部材が配置されていることを特徴とする太陽光発電装置。
【請求項１４】
請求項１に記載の太陽光発電装置であって、
前記第１太陽光部材の受光面の前記傾き角度θ１を、前記春秋分仰角θｍよりも大きく前記夏至仰角θｓ以下の範囲（θｍ＜θ１≦θｓ）内で変更する第３変更機構を有することを特徴とする太陽光発電装置。
【請求項１５】
請求項１又は１４に記載の太陽光発電装置であって、
前記第２太陽光部材の受光面の前記傾き角度θ２を、前記冬至仰角θｗ以上で前記春秋分仰角θｍよりも小さい範囲（θｗ≦θ２＜θｍ）内で変更する第４変更機構を有することを特徴とする太陽光発電装置。
【請求項１６】
請求項７に記載の太陽光発電装置であって、
前記駆動源は、前記第１太陽光部材又は前記第２太陽光部材により生成された電気を動力として作動することを特徴とする太陽光発電装置。
【請求項１７】
請求項１４に記載の太陽光発電装置であって、
前記第３変更機構は、前記第１太陽光部材の傾き角度θ１を変更するための電動の駆動源を有し、
前記駆動源は、前記第１太陽光部材又は前記第２太陽光部材により生成された電気を動力として作動することを特徴とする太陽光発電装置。
【請求項１８】
請求項１５に記載の太陽光発電装置であって、
前記第４変更機構は、前記第２太陽光部材の傾き角度θ２を変更するための電動の駆動源を有し、
前記駆動源は、前記第１太陽光部材又は前記第２太陽光部材により生成された電気を動力として作動することを特徴とする太陽光発電装置。
【発明の詳細な説明】
【技術分野】
【０００１】
本発明は、建物の屋根部や外壁部等に設置された太陽光部材により太陽光を受光することで発電する太陽光発電装置に関する。
【背景技術】
【０００２】
従来、建物の屋根部や外壁部等には、太陽光発電装置の太陽光部材として太陽光パネルが設置されており、当該太陽光パネルの受光面で太陽光を受光することにより発電が行われている。
【先行技術文献】
【特許文献】
【０００３】
【特許文献１】特開２０１０−２６３０８９号公報
【発明の概要】
【発明が解決しようとする課題】
【０００４】
かかる太陽光から電気へのエネルギー変換効率は、太陽光パネルの受光面への太陽光の入射角が直角に近い程大きくなる。また、南方基準の太陽の仰角は、年間を通じて変化するので、受光面への入射角も変化する。
【０００５】
ここで、一般に、太陽光パネルの受光面は、鉛直面の下方に対して所定の傾き角度θで傾いた状態に固定されている。そして、このとき、この傾き角度θを、太陽光パネルの設置地点における春分又は秋分の日の南中時の太陽の仰角θｍと同値に揃えれば、春分又は秋分の日の南中時には太陽光が太陽光パネルの受光面に、より直角に近い入射角で入射するので、春分又は秋分の日の南中時には、そのエネルギー変換効率は高くなる。一方、夏至や冬至の南中時には、太陽光の入射角が、より直角から離れるので、そのエネルギー変換効率は低下することになるが、このように設定しておけば、一年を通して、平均的にある程度のエネルギー変換効率を確保できるので、通常そのようにしている。
【０００６】
但し、最近の再生可能エネルギーの活用機運の高まりから、太陽光発電装置のエネルギー変換効率を更に高めたい要望があるが、この点につき、夏期（春分から夏至を経て秋分に至るまでの期間）に特化した傾き角度θｓの太陽光パネルと、冬期（秋分から冬至を経て春分に至るまでの期間）に特化した傾き角度θｗの太陽光パネルとを備えれば、年間を通して更にエネルギー変換効率を高めることができるものと考えられる。
【０００７】
本発明は、上記のような従来の問題に鑑みなされたものであって、その目的は、太陽光発電装置の通年のエネルギー変換効率を高めることにある。
【課題を解決するための手段】
【０００８】
かかる目的を達成するために請求項１に示す発明は、
鉛直面の下方に対する傾き角度がαの取り付け対象面に設けられた複数の太陽光部材であって、太陽光を受光する受光面を有する前記太陽光部材を備えた太陽光発電装置において、
夏至の南中時における太陽の南方に対する仰角を夏至仰角θｓとし、冬至の南中時における太陽の南方に対する仰角を冬至仰角θｗとし、春分或いは秋分となる日の南中時における太陽の南方に対する仰角を春秋分仰角θｍとした場合に、
前記鉛直面の下方に対する受光面の傾き角度θ１が、春秋分仰角θｍよりも大きく夏至仰角θｓ以下の範囲（θｍ＜θ１≦θｓ）の任意の角度に設定された第１太陽光部材と、
前記鉛直面の下方に対する受光面の傾き角度θ２が、冬至仰角θｗ以上で春秋分仰角θｍよりも小さい範囲（θｗ≦θ２＜θｍ）の任意の角度に設定された第２太陽光部材と、を有することを特徴とする。
【０００９】
上記請求項１に示す発明によれば、鉛直面の下方に対する受光面の傾き角度θ１がθｍ＜θ１≦θｓに設定された第１太陽光部材と、同鉛直面の下方に対する受光面の傾き角度θ２がθｗ≦θ２＜θｍに設定された第２太陽光部材とを有している。よって、夏期（春分から夏至を経て秋分に至るまでの期間）には、第１太陽光部材が高いエネルギー変換効率でもって太陽光から電気を生成し、冬期（秋分から冬至を経て春分に至るまでの期間）には、第２太陽光部材が高いエネルギー変換効率でもって太陽光から電気を生成するので、年間を通して当該太陽光発電装置は高いエネルギー変換効率で電気を生成可能となる。
【００１０】
請求項２に示す発明は、請求項１に記載の太陽光発電装置であって、
前記第１太陽光部材の受光面の前記傾き角度θ１は、前記夏至仰角θｓと同値に設定され、
前記第２太陽光部材の受光面の前記傾き角度θ２は、前記冬至仰角θｗと同値に設定され、
前記鉛直面の下方に対する前記取り付け対象面の傾き角度αに関して、該取り付け対象面が前記鉛直面の下方と平行な状態を０°（α＝０°）と定義し、該取り付け対象面における上端位置よりも下端位置の方が、前記鉛直面の法線方向に沿う側方方向の外方に位置するような傾き状態を正値（α＞０）と定義した場合に、
前記傾き角度αは、前記夏至仰角θｓ−９０°よりも大きく前記冬至仰角θｗ以下の範囲（θｓ−９０°＜α≦θｗ）の任意の角度に設定されており、
前記第１太陽光部材の上端縁よりも下端縁の方が、前記取り付け対象面の法線方向の外方に位置して設けられ、
前記第２太陽光部材の上端縁よりも下端縁の方が、前記取り付け対象面の法線方向の外方に位置して設けられていることを特徴とする。
【００１１】
上記請求項２に示す発明によれば、取り付け対象面の傾き角度αを、θｓ−９０°＜α≦θｗに設定している。よって、前者の大小条件に基づいて、取り付け対象面の影が第１太陽光部材の受光面にかかることを回避し、そして、後者の大小条件に基づいて、取り付け対象面に確実且つ容易に第２太陽光部材を取り付け可能となる。  
また、第１太陽光部材の受光面の傾き角度θ１は夏至仰角θｓに設定されているので、夏至の南中時には太陽光が第１太陽光部材の受光面に、より直角に近い入射角で入射し、これにより、第１太陽光部材は、夏期に高いエネルギー変換効率で太陽光を電気に変換可能となる。  
更に、第２太陽光部材の受光面の傾き角度θ２は、冬至仰角θｗに設定されているので、冬至の南中時には太陽光が第２太陽光部材の受光面に、より直角に近い入射角で入射し、これにより、第２太陽光部材は、冬期に高いエネルギー変換効率で太陽光を電気に変換可能となる。
【００１２】
請求項３に示す発明は、請求項２に記載の太陽光発電装置であって、
前記第１太陽光部材は、前記取り付け対象面上に上下方向に並んで複数設けられているとともに、前記複数の第１太陽光部材は、それぞれ、上端縁が前記取り付け対象面に当接して固定されており、
上下方向に隣り合う前記第１太陽光部材同士のうちで、上側の第１太陽光部材の上端縁と下端縁との間の長さがＬ１である場合に、
下側の第１太陽光部材の上端縁は、前記上側の第１太陽光部材の上端縁の位置から前記取り付け対象面に沿う方向の下方にＬ１／ｃｏｓ（θｓ−α）以上離れた位置に固定されていることを特徴とする。
【００１３】
上記請求項３に示す発明によれば、下側の第１太陽光部材の上端縁の固定位置を、上側の第１太陽光部材の上端縁の位置から取り付け対象面に沿う方向の下方にＬ１／ｃｏｓ（θｓ−α）以上離れた位置にしているので、上側の第１太陽光部材の影が、下側の第１太陽光部材の受光面にかかることを回避できる。
【００１４】
請求項４に示す発明は、請求項２又は３に記載の太陽光発電装置であって、
前記第２太陽光部材は、前記取り付け対象面上に上下方向に並んで複数設けられているとともに、前記複数の第２太陽光部材は、それぞれ、上端縁が前記取り付け対象面に当接して固定されており、
上下方向に隣り合う前記第２太陽光部材同士のうちで、上側の第２太陽光部材の上端縁と下端縁との間の長さがＬ２である場合に、
下側の第２太陽光部材の上端縁は、前記上側の第２太陽光部材の上端縁の位置から前記取り付け対象面に沿う方向の下方にＬ２／ｃｏｓ（θｗ−α）以上離れた位置に固定されていることを特徴とする。
【００１５】
上記請求項４に示す発明によれば、下側の第２太陽光部材の上端縁の固定位置を、上側の第２太陽光部材の上端縁の位置から取り付け対象面に沿う方向の下方にＬ２／ｃｏｓ（θｗ−α）以上離れた位置にしているので、少なくとも冬至の日において、上側の第２太陽光部材の影が、下側の第２太陽光部材の受光面にかかることを回避できる。
【００１６】
請求項５に示す発明は、請求項２乃至４の何れかに記載の太陽光発電装置であって、
上下方向に隣り合う前記第１太陽光部材同士の間に、前記第２太陽光部材が配置されていることを特徴とする。
【００１７】
上記請求項５に示す発明によれば、第１太陽光部材同士の間に第２太陽光部材を配置している。ここで、この第１太陽光部材同士の間の部分というのは、第１太陽光部材のエネルギー変換効率が高い夏期には、第１太陽光部材の影が出来やすい部分であるため、夏期にはデッドスペースとなり得るが、一方、冬期にあっては、夏期と比べて太陽の高度が低くなるために、第１太陽光部材の影は小さくなって当該影が出来難い部分となる。そのため、当該部分に第２太陽光部材を配置することで、冬期に高いエネルギー変換効率で太陽光を電気に変換して冬期の発電量を増やすことができる。すなわち、第１太陽光部材の影の発生の関係で、第１太陽光部材を配置できなかったデッドスペースに第２太陽光部材を配置しているので、取り付け対象面上の空きスペースの縮小化を図れる。
【００１８】
請求項６に示す発明は、請求項１に記載の太陽光発電装置であって、
前記第１太陽光部材の受光面の前記傾き角度θ１は、前記夏至仰角θｓと同値に設定され、
前記第２太陽光部材の受光面の前記傾き角度θ２は、前記冬至仰角θｗと同値に設定され、
前記鉛直面の下方に対する前記取り付け対象面の傾き角度αに関して、該取り付け対象面が鉛直面の下方と平行な状態を０°（α＝０°）と定義し、該取り付け対象面における上端位置よりも下端位置の方が前記鉛直面の法線方向に沿う側方方向の外方に位置するような傾き状態を正値（α＞０）と定義した場合に、
前記傾き角度αは、前記冬至仰角θｗよりも大きく前記夏至仰角θｓよりも小さい範囲（θｗ＜α＜θｓ）の任意の角度に設定されており、
前記第１太陽光部材の上端縁よりも下端縁の方が、前記取り付け対象面の法線方向の外方に位置して設けられ、
前記第２太陽光部材の下端縁よりも上端縁の方が、前記取り付け対象面の法線方向の外方に位置して設けられていることを特徴とする。
【００１９】
上記請求項６に示す発明によれば、取り付け対象面の傾き角度αを、θｗ＜α＜θｓに設定しているので、第１太陽光部材及び第２太陽光部材を、それぞれ取り付け対象面に確実に取り付けて同取り付け対象面に支持させることができる。  
また、第１太陽光部材の受光面の傾き角度θ１は夏至仰角θｓと同値に設定されているので、夏至の南中時には太陽光が第１太陽光部材の受光面に、より直角に近い入射角で入射し、これにより、第１太陽光部材は、夏期に高いエネルギー変換効率で太陽光を電気に変換可能となる。  
更に、第２太陽光部材の受光面の傾き角度θ２は、冬至仰角θｗと同値に設定されているので、冬至の南中時には太陽光が第２太陽光部材の受光面に、より直角に近い入射角で入射し、これにより、第２太陽光部材は、冬期に高いエネルギー変換効率で太陽光を電気に変換可能となる。
【００２０】
請求項７に示す発明は、請求項１に記載の太陽光発電装置であって、
前記鉛直面の下方に対する前記取り付け対象面の傾き角度αに関して、該取り付け対象面が前記鉛直面の下方と平行な状態を０°（α＝０°）と定義し、該取り付け対象面における上端位置よりも下端位置の方が前記鉛直面の法線方向に沿う側方方向の外方に位置するような傾き状態を正値（α＞０）と定義した場合に、
前記傾き角度αは、前記冬至仰角θｗよりも大きく前記夏至仰角θｓよりも小さい範囲（θｗ＜α＜θｓ）の任意の角度に設定されており、
前記第１太陽光部材の上端縁よりも下端縁の方が、前記取り付け対象面の法線方向の外方に位置して設けられ、
前記第２太陽光部材の下端縁よりも上端縁の方が、前記取り付け対象面の法線方向の外方に位置して設けられており、
前記第１太陽光部材の受光面の前記傾き角度θ１を、前記春秋仰角θｍよりも大きく前記夏至仰角θｓ以下の範囲（θｍ＜θ１≦θｓ）内で変更する第１変更機構を有し、
前記第２太陽光部材の受光面の前記傾き角度θ２を、前記冬至仰角θｗ以上で前記春秋仰角θｍよりも小さい範囲（θｗ≦θ２＜θｍ）内で変更する第２変更機構を有することを特徴とする。
【００２１】
上記請求項７に示す発明によれば、第１変更機構により、第１太陽光部材の受光面の傾き角度θ１を、θｍ＜θ１≦θｓの範囲内で変更可能なので、春分から夏至を経て秋分に至る各日につき当該各日の南中時の太陽の仰角に応じて、第１太陽光部材の受光面の傾き角度θ１を変更・調整可能となる。よって、これら各日につき、太陽光の受光面への入射角がより直角に近くなるように設定することができて、その結果、夏期、すなわち春分から夏至を経て秋分に至る各日について、より高いエネルギー変換効率で太陽光を電気に変換可能となる。
【００２２】
また、第２変更機構により、第２太陽光部材の受光面の傾き角度θ２を、θｗ≦θ２＜θｍの範囲内で変更可能なので、秋分から冬至を経て春分に至る各日につき当該各日の南中時の太陽の仰角に応じて、第２太陽光部材の受光面の傾き角度θ２を変更・調整可能となる。よって、これら各日につき、太陽光の受光面への入射角がより直角に近くなるように設定することができて、その結果、冬期、すなわち秋分から冬至を経て春分に至る各日について、より高いエネルギー変換効率で太陽光を電気に変換可能となる。
【００２３】
請求項８に示す発明は、請求項７に記載の太陽光発電装置であって、
前記第１変更機構及び前記第２変更機構として、
前記第１太陽光部材の下端縁と前記第２太陽光部材の上端縁とを、互いの相対回転を許容しつつ連結する第１連結部と、
前記第１太陽光部材の上端縁及び前記第２太陽光部材の下端縁のうちの一方の端縁を、前記取り付け対象面との相対回転を許容しつつ前記取り付け対象面に沿う方向の上下にスライド移動可能に連結する第２連結部と、
前記第１太陽光部材の上端縁及び前記第２太陽光部材の下端縁のうちの他方の端縁を、前記取り付け対象面との相対回転を許容しつつ前記取り付け対象面に沿う方向の上下にスライド移動不能に連結する第３連結部と、
前記一方の端縁をスライド移動する駆動源と、を有することを特徴とする。
【００２４】
上記請求項８に示す発明によれば、第１太陽光部材の上端縁及び第２太陽光部材の下端縁のうちの一方の端縁をスライド移動することにより、第１太陽光部材及び第２太陽光部材の各受光面の傾き角度θ１，θ２を一斉に変更することができる。
【００２５】
請求項９に示す発明は、請求項８に記載の太陽光発電装置であって、
互いに連結された前記第１太陽光部材と前記第２太陽光部材とは、太陽光部材対をなし、
複数の前記太陽光部材対が、前記取り付け対象面に沿う方向の上下に並んで所定ピッチで前記取り付け対象面に設けられており、
前記第１太陽光部材の上端縁と下端縁との間の長さがＬ１であり、前記第２太陽光部材の上端縁と下端縁との間の長さがＬ２である場合に、
前記所定ピッチは、Ｌ１＋Ｌ２以上の値に設定されていることを特徴とする。
【００２６】
上記請求項９に示す発明によれば、所定ピッチはＬ１＋Ｌ２以上の値に設定されているので、上記太陽光部材対のスライド移動時に、上下に隣り合う太陽光部材対同士が干渉することは有効に回避され、これにより、第１太陽光部材及び第２太陽光部材の各受光面は円滑に回動動作をすることができる。その結果、これら各受光面の各傾き角度θ１，θ２は円滑に変更される。
【００２７】
請求項１０に示す発明は、請求項１に記載の太陽光発電装置であって、
前記第１太陽光部材の受光面の前記傾き角度θ１は、前記夏至仰角θｓと同値に設定され、
前記第２太陽光部材の受光面の前記傾き角度θ２は、前記冬至仰角θｗと同値に設定され、
前記鉛直面の下方に対する前記取り付け対象面の傾き角度αに関して、該取り付け対象面が前記鉛直面の下方と平行な状態を０°（α＝０°）と定義し、該取り付け対象面における上端位置よりも下端位置の方が前記鉛直面の法線方向に沿う側方方向の外方に位置するような傾き状態を正値（α＞０）と定義した場合に、
前記傾き角度αは、前記夏至仰角θｓ以上で前記冬至仰角θｗ＋９０°よりも小さい範囲（θｓ≦α＜θｗ＋９０°）の任意の角度に設定されており、
前記第１太陽光部材の前記側方方向の外端縁よりも前記側方方向の内端縁の方が、前記取り付け対象面の法線方向の外方に位置して設けられ、
前記第２太陽光部材の前記側方方向の外端縁よりも前記側方方向の内端縁の方が、前記取り付け対象面の法線方向の外方に位置して設けられていることを特徴とする。
【００２８】
上記請求項１０に示す発明によれば、取り付け対象面の傾き角度αを、θｓ≦α＜θｗ＋９０°に設定している。よって、後者の大小条件に基づいて、取り付け対象面の影が第２太陽光部材の受光面にかかることを回避し、そして、前者の大小条件に基づいて、取り付け対象面に確実且つ容易に第１太陽光部材を取り付け可能となる。  
また、第１太陽光部材の受光面の傾き角度θ１は夏至仰角θｓと同値に設定されているので、夏至の南中時には太陽光が第１太陽光部材の受光面に、より直角に近い入射角で入射し、これにより、第１太陽光部材は、夏期に高いエネルギー変換効率で太陽光を電気に変換することができる。  
更に、第２太陽光部材の受光面の傾き角度θ２は、冬至仰角θｗと同値に設定されているので、夏至の南中時には太陽光が第２太陽光部材の受光面に、より直角に近い入射角で入射し、これにより、第２太陽光部材は、冬期に高いエネルギー変換効率で太陽光を電気に変換可能となる。
【００２９】
請求項１１に示す発明は、請求項１０に記載の太陽光発電装置であって、
前記第２太陽光部材は、前記取り付け対象面上に前記側方方向に並んで複数設けられているとともに、前記複数の第２太陽光部材は、それぞれ、前記側方方向の外端縁が前記取り付け対象面に当接して固定されており、
前記側方方向に隣り合う前記第２太陽光部材同士のうちで、前記側方方向の外側の第２太陽光部材の外端縁と内端縁との間の長さがＬ２である場合に、
前記側方方向の内側の第２太陽光部材の外端縁は、前記外側の第２太陽光部材の外端縁の位置から前記取り付け対象面に沿う方向の内方にＬ２／ｃｏｓ（α−θｗ）以上離れた位置に固定されていることを特徴とする。
【００３０】
上記請求項１１に示す発明によれば、内側の第２太陽光部材の外端縁の固定位置を、外側の第２太陽光部材の外端縁の位置から取り付け対象面に沿う方向の内方にＬ２／ｃｏｓ（α−θｗ）以上離れた位置にしているので、少なくとも冬期の南中時において、外側の第２太陽光部材の影が、内側の第２太陽光部材の受光面にかかることを回避できる。
【００３１】
請求項１２に示す発明は、請求項１０又は１１に記載の太陽光発電装置であって、
前記第１太陽光部材は、前記取り付け対象面上に前記側方方向に並んで複数設けられているとともに、前記複数の第１太陽光部材は、それぞれ、前記側方方向の外端縁が前記取り付け対象面に当接して固定されており、
前記側方方向に隣り合う前記第１太陽光部材同士のうちで、前記側方方向の外側の第１太陽光部材の外端縁と内端縁との間の長さがＬ１である場合に、
前記側方方向の内側の第１太陽光部材の外端縁は、前記外側の第１太陽光部材の外端縁の位置から前記取り付け対象面に沿う方向の内方にＬ１／ｃｏｓ（α−θｓ）以上離れた位置に固定されていることを特徴とする。
【００３２】
上記請求項１２に示す発明によれば、内側の第１太陽光部材の外端縁の固定位置を、外側の第１太陽光部材の外端縁の位置から取り付け対象面に沿う方向の内方にＬ１／ｃｏｓ（α−θｓ）以上離れた位置にしているので、少なくとも夏至の南中時において、外側の第１太陽光部材の影が、内側の第１太陽光部材の受光面にかかることを回避できる。
【００３３】
請求項１３に示す発明は、請求項１０乃至１２の何れかに記載の太陽光発電装置であって、
前記側方方向に隣り合う前記第２太陽光部材同士の間に、前記第１太陽光部材が配置されていることを特徴とする。
【００３４】
上記請求項１３に示す発明によれば、第２太陽光部材同士の間に第１太陽光部材を配置している。ここで、この第２太陽光部材同士の間の部分というのは、第２太陽光部材のエネルギー変換効率が高い冬期には、第２太陽光部材の影が出来やすい部分であるため、冬期にはデッドスペースとなるが、一方、夏期にあっては、冬期と比べて太陽の高度が高くなるために、第２太陽光部材の影は小さくなって当該影が出来難い部分となる。そのため、当該部分に第１太陽光部材を配置することで、夏期に高いエネルギー変換効率で太陽光を電気に変換して夏期の発電量を増やすことができる。すなわち、第２太陽光部材の影の発生の関係で、第２太陽光部材を配置できなかったデッドスペースに第１太陽光部材を配置しているので、取り付け対象面上の空きスペースの縮小化を図れる。
【００３５】
請求項１４に示す発明は、請求項１に記載の太陽光発電装置であって、
前記第１太陽光部材の受光面の前記傾き角度θ１を、前記春秋分仰角θｍよりも大きく前記夏至仰角θｓ以下の範囲（θｍ＜θ１≦θｓ）内で変更する第３変更機構を有することを特徴とする。
【００３６】
上記請求項１４に示す発明によれば、第３変更機構により、第１太陽光部材の受光面の傾き角度θ１を、θｍ＜θ１≦θｓの範囲で変更可能なので、春分から夏至を経て秋分に至る各日につき当該各日の南中時の太陽の仰角に応じて、第１太陽光部材の受光面の傾き角度θ１を変更・調整可能となる。よって、これら各日につき、太陽光の受光面への入射角をより直角に近くなるように設定することができて、その結果、夏期、すなわち春分から夏至を経て秋分に至る各日について、高いエネルギー変換効率で太陽光を電気に変換可能となる。
【００３７】
請求項１５に示す発明は、請求項１又は１４に記載の太陽光発電装置であって、
前記第２太陽光部材の受光面の前記傾き角度θ２を、前記冬至仰角θｗ以上で前記春秋分仰角θｍよりも小さい範囲（θｗ≦θ２＜θｍ）内で変更する第４変更機構を有することを特徴とする。
【００３８】
上記請求項１５に示す発明によれば、第４変更機構により、第２太陽光部材の受光面の傾き角度θ２を、θｗ≦θ２＜θｍの範囲で変更可能なので、秋分から冬至を経て春分に至る各日につき当該各日の南中時の太陽の仰角に応じて、第２太陽光部材の受光面の傾き角度θ２を変更・調整可能となる。よって、これら各日につき、太陽光の受光面への入射角をより直角に近くなるように設定することができて、その結果、冬期、すなわち秋分から冬至を経て春分に至る各日について、高いエネルギー変換効率で太陽光を電気に変換可能となる。
【００３９】
請求項１６に示す発明は、請求項７に記載の太陽光発電装置であって、
前記駆動源は、前記第１太陽光部材又は前記第２太陽光部材により生成された電気を動力として作動することを特徴とする。
【００４０】
上記請求項１６に示す発明によれば、傾き角度θ１及び傾き角度θ２の変更に要する動力を、自身の第１太陽光部材又は第２太陽光部材が生成した電気の電力で賄うことができて、外部電源を用いずに済む。
【００４１】
請求項１７に示す発明は、請求項１４に記載の太陽光発電装置であって、
前記第３変更機構は、前記第１太陽光部材の傾き角度θ１を変更するための電動の駆動源を有し、
前記駆動源は、前記第１太陽光部材又は前記第２太陽光部材により生成された電気を動力として作動することを特徴とする。
【００４２】
上記請求項１７に示す発明によれば、傾き角度θ１の変更に要する動力を、自身の第１太陽光部材又は第２太陽光部材が生成した電気の電力で賄うことができて、外部電源を用いずに済む。
【００４３】
請求項１８に示す発明は、請求項１５に記載の太陽光発電装置であって、
前記第４変更機構は、前記第２太陽光部材の傾き角度θ２を変更するための電動の駆動源を有し、
前記駆動源は、前記第１太陽光部材又は前記第２太陽光部材により生成された電気を動力として作動することを特徴とする。
【００４４】
上記請求項１８に示す発明によれば、傾き角度θ２の変更に要する動力を、自身の第１太陽光部材又は第２太陽光部材が生成した電気の電力で賄うことができて、外部電源を用いずに済む。
【発明の効果】
【００４５】
本発明によれば、太陽光発電装置の通年のエネルギー変換効率を高めることができる。
【図面の簡単な説明】
【００４６】
【図１】本発明に係る太陽光発電装置の基本構成を説明するための第１態様の概略側面図である。
【図２】第１〜第３態様に係る各取り付け対象面３の傾き角度αの説明図である。
【図３】図３Ａは、第１態様において、θｓ−９０°≧αの場合の問題点の説明図であり、図３Ｂは、同第１態様において、θｗ＜αの場合の問題点の説明図である。
【図４】上下方向に隣り合う第１太陽光パネル１０，１０同士の間の間隔に係る距離Ｄ１（＝Ｌ１／ｃｏｓ（θｓ−α））の説明図である。
【図５】図５Ａ及び図５Ｂは、上下方向に隣り合う第１太陽光パネル１０，１０同士の間の位置に第２太陽光パネル２０を配置するのが好ましい理由の説明図である。
【図６】上下方向に隣り合う第２太陽光パネル２０，２０同士の間の間隔に係る距離Ｄ２（＝Ｌ２／ｃｏｓ（θｗ−α））の説明図である。
【図７】上下方向に隣り合う第２太陽光パネル２０，２０同士の間の間隔に係る距離Ｄ２（＝Ｌ２×ｃｏｓ（θｗ−α）＋Ｌ２×ｔａｎ（θｍ−α）×ｓｉｎ（θｗ−α））の説明図である。
【図８】図８Ａは、第１太陽光パネル１０の下方の隣に第２太陽光パネル２０が位置している場合において互いの間を離すべき距離の下限値Ｄ１２の説明図であり、図８Ｂは、第２太陽光パネル２０の下方の隣に第１太陽光パネル１０が位置している場合において互いの間を離すべき距離の下限値Ｄ２１の説明図である。
【図９】建物の外壁部の代わりにガラス板９が設けられた場合であって、当該ガラス板９よりも屋内側の位置に第１太陽光パネル１０，１０…及び第２太陽光パネル２０，２０…が配置された場合の概略側面図である。
【図１０】第１態様において、第１太陽光パネル１０の傾き角度θ１及び第２太陽光パネル２０の傾き角度θ２を日毎に変更する場合の構成例の概略側面図である。
【図１１】第２態様の概略側面図である。
【図１２】図１２Ａは、第２態様において、θｗ≧αの場合の問題点の説明図であり、図１２Ｂは、同第２態様において、α≧θｓの場合の問題点の説明図である。
【図１３】建物の傾斜した窓部Ｗよりも屋内側の位置に第１太陽光パネル１０，１０…及び第２太陽光パネル２０，２０…が配置された場合の概略側面図である。
【図１４】θ２≧αの場合には、第１太陽光パネル１０と第２太陽光パネル２０と取り付け対象面３との三者で断面三角形形状を形成できないことを示す概略側面図である。
【図１５】第２態様において、第１太陽光パネル１０の傾き角度θ１及び第２太陽光パネル２０の傾き角度θ２を日毎に変更する場合の構成例の概略側面図である。
【図１６】図１６Ａは、春分の日或いは秋分の日の傾き角度θ１，θ２を示す概念図であり、図１６Ｂは、夏至の日或いは冬至の日の傾き角度θ１，θ２を示す概念図である。
【図１７】第３態様の概略側面図である。
【図１８】図１８Ａは、第３態様において、α≧θｗ＋９０°の場合の問題点の説明図であり、図１８Ｂは、同第３態様において、θｓ＞αの場合の問題点の説明図である。
【図１９】側方方向に隣り合う第２太陽光パネル２０，２０同士の間の間隔に係る距離Ｄ２’ （＝Ｌ２／ｃｏｓ（α−θｗ））の説明図である。
【図２０】図２０Ａ及び図２０Ｂは、側方方向に隣り合う第２太陽光パネル２０，２０同士の間の位置に第１太陽光パネル１０を配置するのが好ましい理由の説明図である。
【図２１】側方方向に隣り合う第１太陽光パネル１０，１０同士の間の間隔に係る距離Ｄ１’ （＝Ｌ１／ｃｏｓ（α−θｓ））の説明図である。
【図２２】側方方向に隣り合う第１太陽光パネル１０，１０同士の間の間隔に係る距離Ｄ１’（＝Ｌ１×ｃｏｓ（α−θｓ）＋Ｌ１×ｔａｎ（α−θｍ）×ｓｉｎ（α−θｓ））の説明図である。
【図２３】図２３Ａは、第１太陽光パネル１０の側方方向の内方の隣に第２太陽光パネル２０が位置している場合において互いの間を離すべき距離の下限値Ｄ１２’の説明図であり、図２３Ｂは、第２太陽光パネル２０の側方方向の内方の隣に第１太陽光パネル１０が位置している場合において互いの間を離すべき距離の下限値Ｄ２１’の説明図である。
【図２４】建物の屋根部の代わりにガラス板９が設けられた場合であって、当該ガラス板９よりも屋内側の位置に第１太陽光パネル１０，１０…及び第２太陽光パネル２０，２０…が配置された場合の概略側面図である。
【図２５】第３態様において、第１太陽光パネル１０の傾き角度θ１及び第２太陽光パネル２０の傾き角度θ２を日毎に変更する場合の構成例の概略側面図である。
【図２６】その他の実施形態の概略側面図である。
【図２７】その他の実施形態の概略側面図である。
【図２８】その他の実施形態の概略側面図である。
【図２９】その他の実施形態の概略側面図である。
【図３０】その他の実施形態の概略側面図である。
【発明を実施するための形態】
【００４７】
＝＝＝本実施形態＝＝＝
始めに図１の概略側面図を参照しながら、本発明の基本構成について説明する。  
本発明の太陽光発電装置は、複数の第１太陽光パネル１０，１０…（第１太陽光部材に相当）と、複数の第２太陽光パネル２０，２０…（第２太陽光部材に相当）とを有している。何れの太陽光パネル１０，２０も受光面１０ａ，２０ａを有し、受光面１０ａ，２０ａで太陽光を受光することにより発電する。そして、各太陽光パネル１０，２０は、受光面１０ａ，２０ａへの太陽光の入射角が直角に近い程、太陽光から電気へのエネルギー変換効率が高くなるという特性を有する。なお、当該太陽光パネル１０，２０には、シリコン半導体などを主な材料とした薄膜状の太陽電池セルなどの周知構成を適用可能であり、かかる太陽電池セルの場合には、その薄膜の略平坦面が、上述の受光面１０ａ，２０ａに該当する。
【００４８】
第１太陽光パネル１０の受光面１０ａ及び第２太陽光パネル２０の受光面２０ａの何れに対しても、共通の鉛直面Ａｓを基準として傾き角度θ１，θ２が設定されており、つまり、当該鉛直面Ａｓの下方に対して所定の傾き角度θ１，θ２だけ傾いた状態に配置されている。そして、かかる傾き角度θ１，θ２は、互いに異なっている。すなわち、第１太陽光パネル１０の受光面１０ａは、夏期に高いエネルギー変換効率を奏するような傾き角度θ１に設定されており、他方、第２太陽光パネル２０の受光面２０ａは、冬期に高いエネルギー変換効率を奏するような傾き角度θ２に設定されている。
【００４９】
ここで、この傾き角度θ１及びθ２について説明する前に、用語を定義する。先ず、夏至の南中時における太陽の南方に対する仰角を夏至仰角θｓと言い、また、冬至の南中時における太陽の南方に対する仰角を冬至仰角θｗと言い、更に、春分或いは秋分となる日の南中時における太陽の南方に対する仰角を春秋分仰角θｍと言う。
【００５０】
そして、夏期の発電に特化した第１太陽光パネル１０にあっては、受光面１０ａの傾き角度θ１が、春秋分仰角θｍよりも大きく夏至仰角θｓ以下の範囲（θｍ＜θ１≦θｓ）の任意の角度に設定されている。また、冬期の発電に特化した第２太陽光パネル２０にあっては、受光面２０ａの傾き角度θ２が、冬至仰角θｗ以上で春秋分仰角θｍよりも小さい範囲（θｗ≦θ２＜θｍ）の任意の角度に設定されている。例えば、緯度が３５°の東京では、夏至仰角θｓが７８°（＝９０°−３５°＋２３．４°）で、冬至仰角θｗが３２°（９０°−３５°−２３．４°）で、春秋分仰角θｍが５５°（＝９０°−３５°）なので、その場合には、第１太陽光パネル１０の傾き角度θ１は、５５°＜θ１≦７８°の任意の角度に設定され、第２太陽光パネル２０の傾き角度θ２は、３２°≦θ２＜５５°の任意の角度に設定されている。よって、夏期には、第１太陽光パネル１０の受光面１０ａに太陽光が、より直角に近い入射角で入射し、他方、冬期には、第２太陽光パネル２０の受光面２０ａに太陽光が、より直角に近い入射角で入射するので、年間を通して太陽光発電装置は高いエネルギー変換効率で発電可能である。
【００５１】
かかる第１及び第２太陽光パネル１０，２０を取り付ける取り付け対象面３としては、建物等の構築物が具備する面のうちで、夏至の南中時と冬至の南中時との両者において直射日光が当たるような面が挙げられる。例えば、図１に示すような建物の外壁部等の略鉛直面部４や、建物の屋根部等の略水平面部６（図１７を参照）、これら略鉛直面部４と略水平面部６との間の傾斜を有した略斜面部５（図１１を参照）などへの取り付けが想定されるが、何れの場合も、夏至の南中時と冬至の南中時との両者において直射日光が当たるような面が、取り付け対象面３となる。なお、図１、図１１、及び図１７の例では、取り付け対象面３が南北方向と平行な方向を向いている場合を例示しているが、上記条件を満足するような取り付け対象面３であれば、南北方向と平行な方向以外を向いていても良い。
【００５２】
また、本実施形態では、第１太陽光パネル１０の受光面１０ａの傾き角度θ１として、上述の範囲θｍ＜θ１≦θｓのなかから夏至仰角θｓを選択し、上記θ１を夏至仰角θｓと同値に設定しており、また、第２太陽光パネル２０の受光面２０ａの傾き角度θ２として、上述の範囲θｗ≦θ２＜θｍのなかから冬至仰角θｗを選択し、上記θ２を冬至仰角θｗと同値に設定している。
【００５３】
そして、このように第１太陽光パネル１０の傾き角度θ１をθｓに、また第２太陽光パネル２０の傾き角度θ２をθｗに設定した場合には、これら第１及び第２太陽光パネル１０，２０を取り付けるべき取り付け対象面３が、鉛直面Ａｓの下方との間で形成する傾き角度αに応じて、その取り付け態様が、第１〜第３の三態様に大別される。ちなみに、上述の傾き角度αを規定する「鉛直面Ａｓ」と言うのは、前述の受光面１０ａ、２０ａの傾き角度θ１，θ２を規定した鉛直面Ａｓと同一面或いは平行な面のことを指す。
【００５４】
図２は、かかる第１〜第３態様の説明図である。なお、以下では、水平方向の側方方向のうちの一方側を外方と言い、他方側を内方と言う。ちなみに、「外方」は、建物（構築物）の外方に対応し、「内方」は建物の内方に対応しており、また、当該側方方向は、上述の鉛直面Ａｓの法線方向にも相当する。
【００５５】
また、ここでは、傾き角度αの定義として、取り付け対象面３が鉛直面Ａｓの下方と平行な状態をα＝０°とし、取り付け対象面３における上端位置よりも下端位置の方が、鉛直面Ａｓの法線方向たる側方方向の外方に突出した傾き状態をα＞０としている（図２では時計回りの方向）。そして、αが、０＜α＜９０°の範囲では、取り付け対象面３は側方方向の外方（正確には、外方斜め上方）を向いているが、α＝９０°では、取り付け対象面３が水平面となって同面３は鉛直上方を向き、更に９０°＜α＜１８０°の範囲では、側方方向の内方（正確には、内方斜め上方）を向いた状態になる。
【００５６】
図２に示すように、第１態様は、建物の略鉛直面部４を取り付け対象面３とする場合であり、第２態様は、略斜面部５を取り付け対象面３とする場合であり、第３態様は、略水平面部６を取り付け対象面３とする場合である。具体的には、第１態様は、取り付け対象面３の傾き角度αが、θｓ−９０°＜α≦θｗの場合であり、第２態様は、取り付け対象面３の傾き角度αが、θｗ＜α＜θｓの場合であり、第３態様は、取り付け対象面３の傾き角度αが、θｓ≦α＜θｗ＋９０°の場合である。より具体的に言えば、緯度が３５°の東京の場合には、夏至仰角θｓが７８°で、冬至仰角θｗが３２°なので、第１態様は−１２°＜α≦３２°となり、第２態様は３２°＜α＜７８°となり、第３態様は７８°≦α＜１２２°となる。以下、かかる角度範囲で三区分される理由を含め、第１〜第３の各態様について詳しく説明する。
【００５７】
＜＜＜第１態様＞＞＞
図１の第１態様は、既述のように略鉛直面部４を取り付け対象面３としている。更に繰り返して言えば、取り付け対象面３の傾き角度αは、θｓ−９０°＜α≦θｗの範囲の任意値に設定されており、東京の場合には、−１２°＜α≦３２°の範囲の任意値に設定されている。なお、以下では、文中に傾き角度αの記載が登場する度に、当該傾き角度αをイメージし易いように、その直後の括弧内に東京での数値例を併記する。そして、かかる傾き角度αの取り付け対象面３には、複数の第１太陽光パネル１０，１０…と複数の第２太陽光パネル２０，２０…とが、ルーバー状に上下方向に並んで配置されている。
【００５８】
ここで、第１太陽光パネル１０は、その上端縁１０ｅｕにて取り付け対象面３に当接固定されて片持ち支持されており、つまり、この上端縁１０ｅｕよりも下端縁１０ｅｄの方が取り付け対象面３の法線方向の外方に位置して設けられており、これにより、鉛直面Ａｓの下方に対する傾き角度θ１はθｓに設定されている。また、第２太陽光パネル２０の方も、その上端縁２０ｅｕにて取り付け対象面３に当接固定されて片持ち支持されており、つまり、この上端縁２０ｅｕよりも下端縁２０ｅｄの方が取り付け対象面３の法線方向の外方に位置して設けられており、これにより、鉛直面Ａｓの下方に対する傾き角度θ２はθｗに設定されている。
【００５９】
よって、傾き角度αが、θｓ−９０°＜α≦θｗ（東京では、−１２°＜α≦３２°）の条件を満足するような取り付け対象面３であれば、同取り付け対象面３に第１太陽光パネル１０と第２太陽光パネル２０とを問題無く取り付け可能である。詳しく説明すると、先ず、この第１態様において、αが上記条件を低い側に外れるθｓ−９０°≧αの場合（東京では、−１２°≧α）には、図３Ａに示すように、夏至の南中時の太陽の仰角θｓたる夏至仰角θｓ（東京では、θｓ＝７８°）の時に、第１太陽光パネル１０の受光面１０ａの一部に取り付け対象面３の影が入ってしまい問題となる。また、αが上記条件を高い側に外れるα＞θｗの場合（東京では、α＞３２°の場合）には、取り付け対象面３に第２太陽光パネル２０を取り付けようとすると、図３Ｂに示すように第２太陽光パネル２０の下部２０ｄを取り付け対象面３に埋設せざるを得なくなり、容易に取り付けられずに問題となる。この点につき、上記条件を満足すれば、これらの問題を回避可能である。すなわち、取り付け対象面３の傾き角度αが、θｓ−９０°＜α≦θｗ（東京では、−１２°＜α≦３２°）の条件を満たせば、取り付け対象面３の影が第１太陽光パネル１０の受光面１０ａにかかることを回避しつつ、取り付け対象面３に確実且つ容易に第２太陽光パネル２０を取り付け可能となる。
【００６０】
かかる取り付け対象面３には、図１に示すように複数の第１太陽光パネル１０，１０…が設けられており、各第１太陽光パネル１０は、それぞれ上下方向に隣り合う第１太陽光パネル１０との間に間隔を空けて配置されている。そして、この間隔に関しては、次のように設定すると良い。すなわち、図４に示すように、上下方向に隣り合う第１太陽光パネル１０，１０同士のうちで、上側の第１太陽光パネル１０の上端縁１０ｅｕと下端縁１０ｅｄとの間の長さをＬ１とした場合に、下側の第１太陽光パネル１０の上端縁１０ｅｕが、上側の第１太陽光パネル１０の上端縁１０ｅｕの位置から取り付け対象面３に沿う方向の下方に距離Ｄ１（＝Ｌ１／ｃｏｓ（θｓ−α））以上離れた位置に固定されていると良い。そうすれば、第１太陽光パネル１０の影が、その下方に隣り合う第１太陽光パネル１０の受光面１０ａにかかることを、年間を通じて回避可能となる。詳しくは次の通りである。
【００６１】
先ず、この距離Ｄ１に係るＬ１／ｃｏｓ（θｓ−α）という数式は、図４を参照してわかるように、夏至の南中時に取り付け対象面３上に形成される第１太陽光パネル１０の影の長さを表している。そして、この夏至の南中時が、年間のうちで太陽の高度が最も高いことから、第１態様の如き略鉛直面部４に形成される影の場合には、この夏至の南中時の影の長さが年間を通じた最長のものとなる。そのため、上記のように第１太陽光パネル１０，１０同士を距離Ｄ１以上離しておけば、第１太陽光パネル１０の影が、その下方に隣り合う第１太陽光パネル１０の受光面１０ａにかかることを、年間に亘って回避することができて、結果、下側の第１太陽光パネル１０の受光面１０ａは、年間に亘ってその上方の第１太陽光パネル１０の影の影響から解放される。
【００６２】
なお、図１の例では、第１太陽光パネル１０の長さＬ１は、全ての第１太陽光パネル１０，１０…に亘り同寸に揃っているため、上記の距離Ｄ１（＝Ｌ１／ｃｏｓ（θｓ−α））の値は、全ての第１太陽光パネル１０，１０…に関して同値となる。そして、図１の例では、全ての第１太陽光パネル１０，１０…は、距離Ｄ１以上となる所定値Ｐ１を、取り付け対象面３上の上下方向の配置ピッチとして配置されており、これにより各第１太陽光パネル１０，１０…は、それぞれ自身よりも上方に位置する第１太陽光パネル１０の影の影響から解放されている。
【００６３】
他方、取り付け対象面３には第２太陽光パネル２０，２０…も設けられている。そして、図１の例では、上下方向に隣り合う第１太陽光パネル１０，１０同士の間の位置に、第２太陽光パネル２０が設けられている。ここで、同位置に第２太陽光パネル２０が設けられている理由は、次の通りである。図５Ａに示すように、この取り付け対象面３における第１太陽光パネル１０，１０同士の間の位置というのは、第１太陽光パネル１０のエネルギー変換効率が高い夏期には、第１太陽光パネル１０の影が出来やすい部分である。そのため、夏期にはデッドスペースとなる。但し、図５Ｂに示すように、冬期にあっては、夏期と比べて太陽の高度が低くなることから、第１太陽光パネル１０の影は小さくなって当該影が出来難くなる。そのため、冬期に特化した第２太陽光パネル２０にあっては、第１太陽光パネル１０，１０同士の間の位置に配置可能であり、配置すれば、冬期に高いエネルギー変換効率で太陽光を電気に変換して冬期の発電量を増やすことができて、かような理由から、第１太陽光パネル１０，１０同士の間の位置に第２太陽光パネル２０を配置している。
【００６４】
この例では、図１に示すように、上下方向に隣り合う第１太陽光パネル１０，１０同士の間の位置に、複数の一例として三つの第２太陽光パネル２０，２０，２０が上下方向に整列して配置されているが、何等これに限らず、一つや二つでも良いし、四つ以上でも良い。なお、第２太陽光パネル２０を複数設ける場合には、上述の第１太陽光パネル１０の場合と同様に、受光面２０ａへの影の影響が小さくなるように考慮して第２太陽光パネル２０，２０同士の間の距離が設定されるのが望ましい。
【００６５】
すなわち、図６に示すように、上下方向に隣り合う第２太陽光パネル２０，２０同士のうちで、上側の第２太陽光パネル２０の上端縁２０ｅｕと下端縁２０ｅｄとの間の長さをＬ２とした場合に、下側の第２太陽光パネル２０の上端縁２０ｅｕが、上側の第２太陽光パネル２０の上端縁２０ｅｕの位置から取り付け対象面３に沿う方向の下方に距離Ｄ２（＝Ｌ２／ｃｏｓ（θｗ−α））以上離れた位置に固定されていると良い。このようにすれば、第２太陽光パネル２０の影が、その下方に隣り合う第２太陽光パネル２０の受光面２０ａにかかることを、少なくとも冬至の日については回避可能となる。詳しくは次の通りである。
【００６６】
先ず、この距離Ｄ２に係るＬ２／ｃｏｓ（θｗ−α）という数式は、図６を参照してわかるように、冬至の南中時に取り付け対象面３上に形成される第２太陽光パネル２０の影の長さを表している。そして、この冬至の南中時というのは、冬至の日のうちで取り付け対象面３に形成される影の長さが最長になる時刻である。そのため、上記のように第２太陽光パネル２０，２０同士を距離Ｄ２以上離しておけば、第２太陽光パネル２０の影が、その下方に隣り合う第２太陽光パネル２０の受光面２０ａにかかることを、少なくとも冬至の日については回避可能となり、結果、同冬至の日については、下側の第２太陽光パネル２０の受光面２０ａは、その上方の第２太陽光パネル２０の影の影響から解放される。
【００６７】
なお、図１の例では、第２太陽光パネル２０の長さＬ２は、全ての第２太陽光パネル２０，２０…に亘り同寸に揃っているため、上記の距離Ｄ２（＝Ｌ２／ｃｏｓ（θｗ−α））の値も、全ての第２太陽光パネル２０，２０…に関して同値となる。そして、図１の例では、第１太陽光パネル１０，１０同士の間の各第２太陽光パネル２０は、距離Ｄ２以上となる所定値Ｐ２を、取り付け対象面３上の上下方向の配置ピッチとして配置されており、これにより各第２太陽光パネル２０，２０…は、それぞれ自身よりも上方に位置する第２太陽光パネル２０の影の影響から解放されている。
【００６８】
また、取り付け対象面３の面積に余裕が有る場合には、上述の距離Ｄ２を更に拡大して、つまり距離Ｄ２を下式１から得られる値にしても良い。  
Ｄ２＝Ｌ２×ｃｏｓ（θｗ−α）
＋Ｌ２×ｔａｎ（θｍ−α）×ｓｉｎ（θｗ−α）  …  （１）
【００６９】
ここで、かかる式１は、図７に示すように、春分の日又は秋分の日の南中時に取り付け対象面３上に形成される第２太陽光パネル２０の影の長さを示している。そして、この春分の日又は秋分の日の南中時の影の長さは、冬期のうちで最長である。従って、下側の第２太陽光パネル２０の上端縁２０ｅｕを、上側の第２太陽光パネル２０の上端縁２０ｅｕの位置から取り付け対象面３に沿う方向の下方に、当該距離Ｄ２以上離れた位置に固定すれば、冬期の全ての日に亘って、第２太陽光パネル２０の影が、その下方に隣り合う第２太陽光パネル２０の受光面２０ａにかかることを回避可能となる。その結果、冬期に特化した第２太陽光パネル２０を有効に使用して冬期の発電量を効果的に増やすことができる。なお、上式１は、図７の幾何学的関係から得ることができる。
【００７０】
ところで、上述のように第２太陽光パネル２０を第１太陽光パネル１０，１０同士の間に配置している場合には、第１太陽光パネル１０の影が第２太陽光パネル２０の受光面２０ａにかかる虞や、或いは第２太陽光パネル２０の影が第１太陽光パネル１０の受光面１０ａにかかる虞がある。例えば、第１太陽光パネル１０の下方の隣に第２太陽光パネル２０が位置している場合には、第１太陽光パネル１０の影が第２太陽光パネル２０の受光面２０ａにかかる虞があり、逆に、第２太陽光パネル２０の下方の隣に第１太陽光パネル１０が位置している場合には、第２太陽光パネル２０の影が第１太陽光パネル１０の受光面１０ａにかかる虞がある。
【００７１】
そのため、これら互いに上下方向に隣り合う第１太陽光パネル１０と第２太陽光パネル２０との位置関係に関しても、上述と同様に受光面１０ａ，２０ａへの影の影響を考慮して、第１太陽光パネル１０と第２太陽光パネル２０との間の距離を設定するのが望ましい。以下では、図８Ａのように第１太陽光パネル１０の下方の隣に第２太陽光パネル２０が位置している場合において互いの間で離すべき距離の下限値のことを、「距離Ｄ１２」と言い、また図８Ｂのように第２太陽光パネル２０の下方の隣に第１太陽光パネル１０が位置している場合において互いの間で離すべき距離の下限値のことを、「距離Ｄ２１」と言う。
【００７２】
先ず、図８Ａを参照しつつ距離Ｄ１２について説明すると、第２太陽光パネル２０は冬期に有効に発電すべきである。また、この冬期において第１太陽光パネル１０の影が最長になるのは、春分の日或いは秋分の日の南中時である。そして、この最長の長さは、幾何学的関係から、前述の式１中の「θｗ」をθｓに置き換えるとともに、同式１中の「Ｌ２」をＬ１に置き換えれば得ることができ、当該最長の長さが距離Ｄ１２に相当するので、当該距離Ｄ１２は下式２で表される。  
Ｄ１２＝Ｌ１×ｃｏｓ（θｓ−α）
＋Ｌ１×ｔａｎ（θｍ−α）×ｓｉｎ（θｓ−α）  …  （２）
【００７３】
よって、下側の第２太陽光パネル２０の上端縁２０ｅｕが、上側の第１太陽光パネル１０の上端縁１０ｅｕの位置から取り付け対象面３に沿う方向の下方に距離Ｄ１２以上離れた位置に固定されていれば、第１太陽光パネル１０の影が、その下方に隣り合う第２太陽光パネル２０の受光面２０ａにかかることを、冬期の全ての日に亘って回避可能となる。
【００７４】
次に、図８Ｂ参照しつつ距離Ｄ２１について説明すると、第１太陽光パネル１０は夏期に有効に発電すべきである。また、この夏期において第２太陽光パネル２０の影が最長になるのは、夏至の南中時である。そして、この最長の長さは、前述の式１中の「θｍ」をθｓに置き換えれば得ることができ、当該最長の長さが距離Ｄ２１に相当するので、当該距離Ｄ２１は下式３で表される。  
Ｄ２１＝Ｌ２×ｃｏｓ（θｗ−α）
＋Ｌ２×ｔａｎ（θｓ−α）×ｓｉｎ（θｗ−α）  …  （３）
【００７５】
よって、下側の第１太陽光パネル１０の上端縁１０ｅｕが、上側の第２太陽光パネル２０の上端縁２０ｅｕの位置から取り付け対象面３に沿う方向の下方に距離Ｄ２１以上離れた位置に固定されていれば、第２太陽光パネル２０の影が、その下方に隣り合う第１太陽光パネル１０の受光面１０ａにかかることを、夏期の全ての日に亘って回避可能となる。
【００７６】
このような第１態様に係る取り付け対象面３、つまり略鉛直面部４の具体例としては、基本的には、建物の鉛直な外壁部や急勾配で傾斜した外壁部、鉛直な窓部や急勾配で傾斜した窓部などが挙げられる。但し、取り付け対象面３は、現実には存在しない仮想面であっても良い。例えば、全面ガラス張りの建物の如く、外壁部の代用としてガラス板９が使用されている場合には、図９に示すように当該ガラス板９よりも屋内側の位置に第１太陽光パネル１０，１０…及び第２太陽光パネル２０，２０…を配置することが想定される。そして、かかる場合には、これら第１及び第２太陽光パネル１０，２０は屋内の柱８ａや梁８ｂに設けられた適宜なステイ部材（不図示）に支持されることも有り得て、そうすると、取り付け対象面３に相当する構成が存在しなくても良いことになるが、その場合には、取り付け対象面３を仮想面と考えれば良い。
【００７７】
ところで、上述の例では、第１太陽光パネル１０の受光面１０ａの傾き角度θ１を夏至仰角θｓと同値の固定値とし、また、第２太陽光パネル２０の受光面２０ａの傾き角度θ２を冬至仰角θｗと同値の固定値としていたが、何等これに限らない。すなわち、既述のように、第１太陽光パネル１０の傾き角度θ１については、θｍ＜θ１≦θｓの範囲（東京では、５５°＜θ１≦７８°）であれば任意値に設定して良く、また、第２太陽光パネル２０の傾き角度θ２についても、θｗ≦θ２＜θｍの範囲（東京では、３２°≦θ１＜５５°）であれば任意値に設定して良い。そして、それぞれこの範囲内に設定されれば、夏期には、第１太陽光パネル１０の受光面１０ａに太陽光が、より直角に近い入射角で入射し、他方、冬期には、第２太陽光パネル２０の受光面２０ａに太陽光が、より直角に近い入射角で入射することになり、これにより第１太陽光パネル１０及び第２太陽光パネル２０は、それぞれ夏期及び冬期の発電に特化したものとなる。
【００７８】
更には、第１太陽光パネル１０の傾き角度θ１及び第２太陽光パネル２０の傾き角度θ２を、日毎に変更しても良い。例えば、図１０の概略側面図に示すように、第１太陽光パネル１０の傾き角度θ１を、春分の日から夏至の日にかけて日の経過と伴に、θｍよりも若干大きいθｍａからθｓへと漸増させる一方、夏至を境にこの動作を反転させて、つまり夏至の日から秋分の日にかけて日の経過と伴にθｓからθｍａへと漸減させても良い。また、同様に、第２太陽光パネル２０の傾き角度θ２の方も、秋分の日から冬至の日にかけて日の経過と伴に、θｍよりも若干小さいθｍｂからθｗへと漸減させる一方、冬至を境にこの動作を反転させて、つまり冬至の日から春分の日にかけて日の経過と伴にθｗからθｍｂへと漸増させても良い。
【００７９】
そして、このように変更すれば、夏期の全ての日に亘って、南中時に太陽光がより直角に入射するような向きに、第１太陽光パネル１０の受光面１０ａを向けることができる一方、冬期の全ての日に亘って南中時に太陽光がより直角に入射するような向きに、第２太陽光パネル２０の受光面２０ａを向けることができる。その結果、太陽光発電装置のエネルギー変換効率を更に高めることができる。
【００８０】
なお、秋分の日から冬至を経て春分の日に至る冬期には、第１太陽光パネル１０の傾き角度θ１は、例えばθｍ＜θ１≦θｓの範囲の所定角度に固定されても良く、また、春分の日から夏至を経て秋分の日に至る夏期には、第２太陽光パネル２０の傾き角度θ２は、例えばθｗ≦θ２＜θｍの範囲の所定角度に固定されても良い。
【００８１】
このように第１太陽光パネル１０の傾き角度θ１を変更する変更機構（第３変更機構に相当）としては、図１０に示すように、第１太陽光パネル１０の上端縁１０ｅｕを回転軸として回転可能に支持するヒンジ部材等の軸支部材１２と、当該上端縁１０ｅｕ周りに第１太陽光パネル１０を回動する電動モータ等の駆動源（不図示）と、駆動源を制御するコンピュータ等の制御部（不図示）と、を例示することができる。同様に、第２太陽光パネル２０の傾き角度θ２を変更する変更機構（第４変更機構に相当）としては、第２太陽光パネル２０の上端縁２０ｅｕを回転軸として回転可能に支持するヒンジ部材等の軸支部材２２と、当該上端縁２０ｅｕ周りに第２太陽光パネル２０を回動する電動モータ等の駆動源（不図示）と、駆動源を制御するコンピュータ等の制御部（不図示）と、を例示することができる。  
そして、どちらの制御部にあっても、ハードディスク等の記憶部を有し、また、同記憶部内には、年間の各日に対応付けて、各日の傾き角度θ１のデータ又は各日の傾き角度θ２のデータが格納されている。よって、制御部のプロセッサが、かかるデータに基づいて駆動源に回動角度の制御信号を送信することにより、上記の日毎の傾き角度θ１，θ２の変更が行われる。
【００８２】
また、これらどちらの変更機構にあっても、駆動源として電動モータを用いた場合には、当該電動モータの作動に必要な動力を、第１太陽光パネル１０又は第２太陽光パネル２０で生成した電気の電力によって賄っても良い。その場合には、例えば、蓄電池を設け、第１太陽光パネル１０又は第２太陽光パネル２０で生成した電気を蓄電池に蓄えるようにし、そして、蓄電池から電動モータへと電力供給すれば良い。
【００８３】
＜＜＜第２態様＞＞＞
次に第２態様について説明する。図１１に示す第２態様は、既述のように建物の略斜面部５を取り付け対象面３としており、換言すると、取り付け対象面３の傾き角度αが、θｗ＜α＜θｓの範囲（東京では、３２°＜α＜７８°）の任意の値に設定されている。そして、取り付け対象面３には、第１太陽光パネル１０と第２太陽光パネル２０とが上下方向に交互に並んで配置されている。
【００８４】
ここで、第１太陽光パネル１０は、その上端縁１０ｅｕにて取り付け対象面３に当接固定され、そして、この上端縁１０ｅｕよりも下端縁１０ｅｄの方が取り付け対象面３の法線方向の外方に位置して設けられており、これにより、鉛直面Ａｓの下方に対する傾き角度θ１がθｓに設定されている。また、第２太陽光パネル２０の方は、その下端縁２０ｅｄにて取り付け対象面３に当接固定され、そして、この下端縁２０ｅｄよりも上端縁２０ｅｕの方が取り付け対象面３の法線方向の外方に位置して設けられており、これにより、鉛直面Ａｓの下方に対する傾き角度θ２がθｗに設定されている。ここで、自由端たる第１太陽光パネル１０の下端縁１０ｅｄと第２太陽光パネル２０の上端縁２０ｅｕとは互いに連結されていて、これにより、第１太陽光パネル１０と第２太陽光パネル２０とが一つずつ組み合わされて一つの断面Ｖ字状のパネル対Ｇ１２（太陽光部材対に相当）が形成されている。
【００８５】
よって、傾き角度αが、θｗ＜α＜θｓの（東京では、３２°＜α＜７８°）の条件を満足するような取り付け対象面３であれば、第１太陽光パネル１０と第２太陽光パネル２０とを問題無く取り付け可能である。すなわち、この条件を満足しない場合には、図１２Ａ又は図１２Ｂに示すように、パネル対Ｇ１２の上端縁１０ｅｕ又は下端縁２０ｅｄのどちらか一方が、取り付け対象面３から浮いて離間してしまい、パネル対Ｇ１２を安定支持できなくなるが、この点につき、上記条件を満足すれば、パネル対Ｇ１２の上端縁１０ｅｕ及び下端縁２０ｅｄの両方を取り付け対象面３に当接固定することができて、結果、支持安定性に長けたものとなる。詳しくは、この第２態様において、αが上記条件を低い側に外れるθｗ≧α（東京では、３２°≧α）の場合には、図１２Ａに示すように、パネル対Ｇ１２の下端縁２０ｅｄが取り付け対象面３から浮いて離間してしまい、支持安定性の点で問題となる。また、αが上記条件を高い側に外れるα≧θｓ（東京では、α≧７８°）の場合には、図１２Ｂに示すように、パネル対Ｇ１２の上端縁１０ｅｕが取り付け対象面３から浮いて離間してしまい、支持安定性の点で問題となる。この点につき、上記条件を満足すれば、これらの問題を回避可能である。すなわち、パネル対Ｇ１２の上端縁１０ｅｕ及び下端縁２０ｅｄの両者を取り付け対象面３に確実に当接固定可能となり、結果、支持安定性に長けたものとなる。但し、図１２Ａや図１２Ｂのような構成は、意匠的に面白いものであり、よって、当該意匠性が支持安定性よりも優先される場合には、図１２Ａや図１２Ｂのように構成しても良い。
【００８６】
このような第２態様に係る取り付け対象面３、つまり略斜面部５の具体例としては、基本的には、建物の傾斜した外壁部や傾斜した窓部、傾斜した屋根部などが挙げられる。但し、第１態様で述べたのと同様に、取り付け対象面３は、現実には存在しない仮想面であっても良い。例えば、図１３に示すように、傾斜した窓部Ｗよりも屋内側の位置に第１太陽光パネル１０，１０…及び第２太陽光パネル２０，２０…を配置することが想定される。そして、かかる場合には、これら太陽光パネル１０，２０は屋内の柱や梁８ｂに設けられた適宜なステイ部材（不図示）に支持されることも有り得て、そうすると、取り付け対象面３に相当する構成が存在しなくても良いことになるが、その場合には、取り付け対象面３を仮想面と考えれば良い。
【００８７】
また、上述の図１１の例では、第１太陽光パネル１０の受光面１０ａの傾き角度θ１を夏至仰角θｓと同値の固定値とし、また、第２太陽光パネル２０の受光面２０ａの傾き角度θ２を冬至仰角θｗと同値の固定値としていたが、何等これに限らない。すなわち、既述のように、第１太陽光パネル１０の傾き角度θ１については、可能であれば、θｍ＜θ１≦θｓの範囲（東京では、５５°＜θ１≦７８°）の任意値に設定して良く、また、第２太陽光パネル２０の傾き角度θ２についても、可能であれば、θｗ≦θ２＜θｍの範囲（東京では、３２°≦θ１＜５５°）の任意値に設定して良い。そして、それぞれこの範囲内に設定されれば、夏期には、第１太陽光パネル１０の受光面１０ａに太陽光が、より直角に近い入射角で入射し、他方、冬期には、第２太陽光パネル２０の受光面２０ａに太陽光が、より直角に近い入射角で入射することになり、これにより第１太陽光パネル１０及び第２太陽光パネル２０は、それぞれ夏期及び冬期の発電に特化したものとなる。ちなみに、θ２＜αの場合には、第１太陽光パネル１０と第２太陽光パネル２０と取り付け対象面３との三者で、図１１の例のような断面三角形形状を形成することができるが、θ２≧αの場合には、断面三角形形状を形成できず、つまり、図１４に示すように、第１太陽光パネル１０の下端縁１０ｅｄと第２太陽光パネル２０の上端縁２０ｅｕとが離間した配置態様となる。
【００８８】
更には、第１太陽光パネル１０の傾き角度θ１及び第２太陽光パネル２０の傾き角度θ２を、日毎に変更しても良い。図１５は、この傾き角度θ１，θ２を変更する変更機構（第１変更機構及び第２変更機構に相当）を有した構成例の説明図である。
【００８９】
この例では、先ず、第１太陽光パネル１０の下端縁１０ｅｄと第２太陽光パネル２０の上端縁２０ｅｕとが、第１連結部の一例としての第１ヒンジ部材１４を介して連結されており、これにより互いの相対回転が許容されている。また、取り付け対象面３には、同面３に沿う方向に上下にスライド移動可能にスライダー１５ａが設けられており、当該スライダー１５ａには、第２ヒンジ部材１５ｂ（スライダー１５ａと組み合わせられることで「第２連結部」に相当する）を介して第１太陽光パネル１０の上端縁１０ｅｕが互いの相対回転を許容されつつ連結されている。更に、取り付け対象面３には第３ヒンジ部材１６が固定されており、同第３ヒンジ部材１６を介して、第２太陽光パネル２０の下端縁２０ｅｄが相対回転を許容されつつ連結されている。よって、スライダー１５ａを、電動モータ等の適宜な駆動源で駆動することにより、パネル対Ｇ１２を第１ヒンジ部材１４の位置でＶ字状に屈曲したり一直線状に延ばしたりすることが可能であり、つまり、このＶ字状の屈曲角度の変更を通して、第１太陽光パネル１０の傾き角度θ１及び第２太陽光パネル２０の傾き角度θ２の両者を一斉に変更可能である。例えば、スライダー１５ａを下方へ移動すれば、θ１を増加方向に変更するとともにθ２を減少方向に変更することができ、逆に、スライダー１５ａを上方へ移動すればθ１を減少方向に変更するとともにθ２を増加方向に変更することができる。
【００９０】
よって、春分の日から夏至の日にかけての日の経過と伴に、図１６Ａの状態から図１６Ｂの状態へとスライダー１５ａを徐々に取り付け対象面３に沿って下方へスライド移動すれば、第１太陽光パネル１０の傾き角度θ１を、θｍより大きいθｍａからθｓへと漸増させることができ、また、夏至を境にこの動作を反転させて、つまり夏至の日から秋分の日にかけて日の経過と伴に、図１６Ｂの状態から図１６Ａの状態へとスライダー１５ａを徐々に上方へスライド移動すれば、第１太陽光パネル１０の傾き角度θ１を、θｓからθｍａへと漸減させることができる。そして、これにより、夏期の全ての日に亘って、第１太陽光パネル１０の受光面１０ａを、南中時に太陽光がより直角に入射するような向きに向けることができる。
【００９１】
他方、秋分の日から冬至の日にかけては日の経過と伴に、図１６Ａの状態から図１６Ｂの状態へとスライダー１５ａを徐々に取り付け対象面３に沿って下方へスライド移動すれば、第２太陽光パネル２０の傾き角度θ２を、θｍより小さいθｍｂからθｗへと漸減させることができ、また、冬至を境にこの動作を反転させて、つまり冬至の日から春分の日にかけて日の経過と伴に、図１６Ｂの状態から図１６Ａの状態へとスライダー１５ａを徐々に上方へスライド移動すれば、第２太陽光パネル２０の傾き角度θ２を、θｗからθｍｂへと漸増させることができる。そして、これにより、冬期の全ての日に亘って、第２太陽光パネル２０の受光面２０ａを、南中時に太陽光がより直角に入射するような向きに向けることができる。
【００９２】
なお、かかるパネル対Ｇ１２，Ｇ１２…は、図１５に示すように取り付け対象面３上における同面３に沿う方向に複数配置されるが、ここで、各パネル対Ｇ１２，Ｇ１２…を、上述のように傾き角度θ１，θ２を可変に構成にした場合には、パネル対Ｇ１２の取り付け対象面３上における同面３に沿う方向の上下に並ぶパネル対Ｇ１２，Ｇ１２…の配置ピッチＰ１２は、Ｌ１＋Ｌ２以上の値に設定されていると良い。そして、このように設定すれば、パネル対Ｇ１２のスライド移動時に、上下に隣り合うパネル対Ｇ１２，Ｇ１２同士が干渉することは有効に回避され、これにより、第１太陽光パネル１０及び第２太陽光パネル２０の各受光面１０ａ，２０ａは円滑に回動動作をすることができる。その結果、これら各受光面１０ａ，２０ａは、それぞれ傾き角度θ１，θ２を円滑に変更することができる。
【００９３】
また、上述の図１５の例では、第１太陽光パネル１０の上端縁１０ｅｕに対してスライダー１５ａ及び第２ヒンジ部材１５ｂを設けて同上端縁１０ｅｕをスライド移動可能に構成するとともに、第２太陽光パネル２０の下端縁２０ｅｄには第３ヒンジ部材１６を設けて同下端縁２０ｅｄをスライド移動不能に構成していたが、何等これに限るものではなく、逆にしても良い。すなわち、第１太陽光パネル１０の上端縁１０ｅｕには第３ヒンジ部材１６を設けて同上端縁１０ｅｕをスライド移動不能に構成するとともに、第２太陽光パネル２０の下端縁２０ｅｄにはスライダー１５ａ及び第２ヒンジ部材１５ｂを設けて同下端縁２０ｅｄをスライド移動可能に構成しても良い。
【００９４】
ちなみに、上述した電動モータなどの駆動源は、適宜なコンピュータ等の制御部（不図示）によって動作を制御しても良い。そして、その場合には、制御部は、ハードディスク等の記憶部を有し、また、同記憶部内には、年間の各日に対応付けて、スライダー１５ａの各位置のデータが格納されている。よって、制御部のプロセッサが、かかるデータに基づいて駆動源に回動角度の制御信号を送信することにより、上記の日毎の傾き角度θ１，θ２の変更が行われる。
【００９５】
また、駆動源として電動モータを用いた場合には、当該電動モータの作動に必要な動力を、第１太陽光パネル１０又は第２太陽光パネル２０で生成した電気の電力によって賄っても良い。その場合には、例えば、蓄電池（不図示）を設け、第１太陽光パネル１０又は第２太陽光パネル２０で生成した電気を蓄電池に蓄えるようにし、そして、蓄電池から電動モータへと電力供給すれば良い。
【００９６】
＜＜＜第３態様＞＞＞
最後に第３態様について説明する。図１７に示す第３態様は、既述のように建物の略水平面部６を取り付け対象面３としており、換言すると、取り付け対象面３の傾き角度αが、θｓ≦α＜θｗ＋９０°の範囲（東京では、７８°≦α＜１２２°）の任意の値に設定されている。そして、取り付け対象面３には、複数の第１太陽光パネル１０，１０…と複数の第２太陽光パネル２０，２０…とが、ルーバー状に側方方向の内外（南北方向）に並んで配置されている。
【００９７】
ここで、第１太陽光パネル１０は、側方方向の外端縁１０ｅｓにて取り付け対象面３に当接固定されて片持ち支持されており、つまり、この外端縁１０ｅｓよりも側方方向の内方に位置する内端縁１０ｅｎの方が取り付け対象面３の法線方向の外方に位置して設けられており、これにより、鉛直面Ａｓの下方に対する傾き角度θ１はθｓに設定されている。また、第２太陽光パネル２０の方も、側方方向の外端縁２０ｅｓにて取り付け対象面３に当接固定されて片持ち支持されており、つまり、この外端縁２０ｅｓよりも側方方向の内方に位置する内端縁２０ｅｎの方が取り付け対象面３の法線方向の外方に位置して設けられており、これにより、鉛直面Ａｓの下方に対する傾き角度θ２はθｗに設定されている。
【００９８】
よって、傾き角度αが、θｓ≦α＜θｗ＋９０°（東京では、７８°≦α＜１２２°）の条件を満足するような取り付け対象面３であれば、同取り付け対象面３に第１太陽光パネル１０と第２太陽光パネル２０とを問題無く取り付け可能である。詳しくは、この第３態様において、αが上記条件を高い側に外れるα≧θｗ＋９０°（東京での数値例：α≧１２２°）の場合には、図１８Ａに示すように、冬至の南中時の太陽の仰角θｗたる冬至仰角θｗ（東京では、θｗ＝３２°）の時に、第２太陽光パネル２０の受光面２０ａの一部に取り付け対象面３の影が入ってしまい問題となる。また、αが上記条件を低い側に外れるθｓ＞α（東京では、７８°＞α）の場合には、取り付け対象面３に第１太陽光パネル１０を取り付けようとすると、図１８Ｂに示すように第１太陽光パネル１０における側方方向の内方部分１０ｓを取り付け対象面３に埋設せざるを得なくなり、容易に取り付けられずに問題となる。この点につき、上記条件を満足すれば、これらの問題を回避可能である。すなわち、取り付け対象面３の傾き角度αが、θｓ≦α＜θｗ＋９０°（東京では、７８°≦α＜１２２°）の条件を満たせば、取り付け対象面３の影が第２太陽光パネル２０の受光面２０ａにかかることを回避しつつ、取り付け対象面３に確実且つ容易に第１太陽光パネル１０を取り付け可能となる。
【００９９】
かかる取り付け対象面３には、図１７に示すように複数の第２太陽光パネル２０，２０…が設けられており、各第２太陽光パネル２０は、それぞれ側方方向に隣り合う第２太陽光パネル２０との間に間隔を空けて配置されている。そして、この間隔に関しては、次のように設定すると良い。すなわち、図１９に示すように、側方方向に隣り合う第２太陽光パネル２０，２０同士のうちで、外側の第２太陽光パネル２０の外端縁２０ｅｓと内端縁２０ｅｎとの間の長さをＬ２とした場合に、内側の第２太陽光パネル２０の外端縁２０ｅｓが、外側の第２太陽光パネル２０の外端縁２０ｅｓの位置から取り付け対象面３に沿う方向の内方に距離Ｄ２’（＝Ｌ２／ｃｏｓ（α−θｗ））以上離れた位置に固定されていると良い。そうすれば、南中時の第２太陽光パネル２０の影が、側方方向の内側に隣り合う第２太陽光パネル２０の受光面２０ａにかかることを、年間を通じて回避可能となる。詳しくは次の通りである。
【０１００】
先ず、この距離Ｄ２’に係るＬ２／ｃｏｓ（α−θｗ）という数式は、図１９を参照してわかるように、冬至の南中時に取り付け対象面３上に形成される第２太陽光パネル２０の影の長さを表している。そして、この冬至の南中時が、年間の南中時のうちで太陽の高度が最も低いことから、第３態様の如き略水平面部６上に形成される影の場合には、この冬至の南中時の影の長さが、年間の全ての南中時のうちで最長のものとなる。そのため、上記のように第２太陽光パネル２０，２０同士を距離Ｄ２’以上離しておけば、第２太陽光パネル２０の影が、側方方向の内側に隣り合う第２太陽光パネル２０の受光面２０ａにかかることを、年間の全ての南中時について回避可能となり、結果、内側の第２太陽光パネル２０の受光面２０ａは、年間の全ての南中時に亘ってその外側の第２太陽光パネル２０の影の影響から解放される。
【０１０１】
なお、図１７の例では、第２太陽光パネル２０の長さＬ２は、全ての第２太陽光パネル２０に亘り同寸に揃っているため、上記の距離Ｄ２’（＝Ｌ２／ｃｏｓ（α−θｗ））の値は、全ての第２太陽光パネル２０，２０…に関して同値となる。そして、図１７の例では、全ての第２太陽光パネル２０，２０…は、距離Ｄ２’以上となる所定値Ｐ２’を、取り付け対象面３上の側方方向の配置ピッチとして配置されており、これにより各第２太陽光パネル２０，２０…は、それぞれ自身よりも外側に位置する第２太陽光パネル２０の南中時の影の影響から解放されている。
【０１０２】
他方、取り付け対象面３には第１太陽光パネル１０，１０…も設けられている。そして、図１７の例では、側方方向に隣り合う第２太陽光パネル２０，２０同士の間の位置に、第１太陽光パネル１０が設けられている。ここで、同位置に第１太陽光パネル１０が設けられている理由は、次の通りである。図２０Ａに示すように、この取り付け対象面３における第２太陽光パネル２０，２０同士の間の位置というのは、第２太陽光パネル２０のエネルギー変換効率が高い冬期には、第２太陽光パネル２０の影が出来やすい部分である。そのため、冬期にはデッドスペースとなる。但し、図２０Ｂに示すように、夏期にあっては、冬期と比べて太陽の高度が高くなることから、第２太陽光パネル２０の影は小さくなって当該影が出来難くなる。そのため、夏期に特化した第１太陽光パネル１０にあっては、第２太陽光パネル２０，２０同士の間の位置に配置可能であり、配置すれば、夏期に高いエネルギー変換効率で太陽光を電気に変換して夏期の発電量を増やすことができて、かような理由から、第２太陽光パネル２０，２０同士の間の位置に第１太陽光パネル１０を配置している。
【０１０３】
この例では、図１７に示すように、側方方向に隣り合う第２太陽光パネル２０，２０同士の間の位置に、複数の一例として三つの第１太陽光パネル１０，１０，１０が側方方向に整列して配置されているが、何等これに限らず、一つや二つでも良いし、四つ以上でも良い。なお、第１太陽光パネル１０を複数設ける場合には、上述の第２太陽光パネル２０の場合と同様に、受光面１０ａへの影の影響が小さくなるように考慮して第１太陽光パネル１０，１０同士の間の距離が設定されるのが望ましい。
【０１０４】
すなわち、図２１に示すように、側方方向に隣り合う第１太陽光パネル１０，１０同士のうちで、側方方向の外側の第１太陽光パネル１０の外端縁１０ｅｓと内端縁１０ｅｎとの間の長さをＬ１とした場合に、内側の第１太陽光パネル１０の外端縁１０ｅｓが、外側の第１太陽光パネル１０の外端縁１０ｅｓの位置から取り付け対象面３に沿う方向の内方に距離Ｄ１’（＝Ｌ１／ｃｏｓ（α−θｓ））以上離れた位置に固定されていると良い。このようにすれば、第１太陽光パネル１０の影が、その内方に隣り合う第１太陽光パネル１０の受光面１０ａにかかることを、少なくとも夏至の日の南中時については回避可能となる。詳しくは次の通りである。
【０１０５】
先ず、この距離Ｄ１’に係るＬ１／ｃｏｓ（α−θｓ）という数式は、図２１を参照してわかるように、夏至の南中時に取り付け対象面３上に形成される第１太陽光パネル１０の影の長さを表している。そのため、上記のように第１太陽光パネル１０，１０同士を距離Ｄ１’以上離しておけば、第１太陽光パネル１０の影が、その内方に隣り合う第１太陽光パネル１０の受光面１０ａにかかることを、少なくとも夏至の日の南中時については回避可能となり、結果、同夏至の日の南中時については、内側の第１太陽光パネル１０の受光面１０ａは、その外側の第１太陽光パネル１０の影の影響から解放される。
【０１０６】
なお、図１７の例では、第１太陽光パネル１０の長さＬ１は、全ての第１太陽光パネル１０，１０…に亘り同寸に揃っているため、上記の距離Ｄ１’（＝Ｌ１／ｃｏｓ（α−θｓ））の値は、全ての第１太陽光パネル１０，１０…に関して同値となる。そして、図１７の例では、第２太陽光パネル２０，２０同士の間の各第１太陽光パネル１０は、距離Ｄ１’以上となる所定値Ｐ１’を、取り付け対象面３上の側方方向の配置ピッチとして配置されており、これにより各第１太陽光パネル１０，１０…は、それぞれ自身よりも外方に位置する第１太陽光パネル１０の影の影響から解放されている。
【０１０７】
また、取り付け対象面３の面積に余裕が有る場合には、上述の距離Ｄ１’を更に拡大して、つまり距離Ｄ１’を下式４から得られる値にしても良い。  
Ｄ１’＝Ｌ１×ｃｏｓ（α−θｓ）
＋Ｌ１×ｔａｎ（α−θｍ）×ｓｉｎ（α−θｓ）    …  （４）
【０１０８】
ここで、かかる式４は図２２に示すように、春分の日又は秋分の日の南中時に取り付け対象面３上に形成される第１太陽光パネル１０の影の長さを示している。そして、この春分の日又は秋分の日の南中時の影の長さは、夏期の南中時のうちで最長である。従って、側方方向の内側の第１太陽光パネル１０の外端縁１０ｅｓを、外側の第１太陽光パネル１０の外端縁１０ｅｓの位置から取り付け対象面３に沿う方向の内方に、当該距離Ｄ１’以上離れた位置に固定すれば、夏期の全ての南中時に亘って、第１太陽光パネル１０の影が、その側方方向の内方に隣り合う第１太陽光パネル１０，１０の受光面１０ａにかかることを回避可能となる。その結果、夏期に特化した第１太陽光パネル１０を有効に使用して夏期の発電量を効果的に増やすことができる。なお、上式４は、図２２の幾何学的関係から得ることができる。
【０１０９】
ところで、上述のように第１太陽光パネル１０を第２太陽光パネル２０，２０同士の間に配置している場合には、第２太陽光パネル２０の影が第１太陽光パネル１０の受光面１０ａにかかる虞や、或いは第１太陽光パネル１０の影が第２太陽光パネル２０の受光面２０ａにかかる虞がある。例えば、第２太陽光パネル２０の側方方向の内方の隣に第１太陽光パネル１０が位置している場合には、第２太陽光パネル２０の影が第１太陽光パネル１０の受光面１０ａにかかる虞があり、逆に、第１太陽光パネル１０の側方方向の内方の隣に第２太陽光パネル２０が位置している場合には、第１太陽光パネル１０の影が第２太陽光パネル２０の受光面２０ａにかかる虞がある。
【０１１０】
そのため、これら互いに側方方向に隣り合う第１太陽光パネル１０と第２太陽光パネルとの位置関係に関しても、同様に受光面１０ａ，２０ａへの影の影響を考慮して、第１太陽光パネル１０と第２太陽光パネル２０との間の距離を設定するのが望ましい。以下では、図２３Ａのように第１太陽光パネル１０の内方の隣に第２太陽光パネル２０が位置している場合において互いの間で離すべき距離の下限値のことを、「距離Ｄ１２’」と言い、また図２３Ｂのように第２太陽光パネル２０の内方の隣に第１太陽光パネル１０が位置している場合において互いの間で離すべき距離の下限値のことを、「距離Ｄ２１’」と言う。
【０１１１】
先ず、図２３Ａを参照しつつ距離Ｄ１２’について説明すると、第２太陽光パネル２０は冬期に有効に発電すべきである。また、この冬期の南中時において第１太陽光パネル１０の影が最長になるのは、冬至の日である。そして、この最長の長さは、幾何学的関係から、前述の式４中の「θｍ」をθｗに置き換えれば得ることができ、当該最長の長さが距離Ｄ１２’に相当するので、当該距離Ｄ１２’は下式５で表される。  
Ｄ１２’＝Ｌ１×ｃｏｓ（α−θｓ）
＋Ｌ１×ｔａｎ（α−θｗ）×ｓｉｎ（α−θｓ）    …  （５）
【０１１２】
よって、側方方向の内側の第２太陽光パネル２０の外端縁２０ｅｓが、外側の第１太陽光パネル１０の外端縁１０ｅｓの位置から取り付け対象面３に沿う方向の内方に距離Ｄ１２’以上離れた位置に固定されていれば、第１太陽光パネル１０の影が、その内方に隣り合う第２太陽光パネル２０の受光面２０ａにかかることを、冬期の全ての南中時に亘って回避可能となる。
【０１１３】
次に、図２３Ｂを参照しつつ距離Ｄ２１’について説明すると、第１太陽光パネル１０は夏期に有効に発電すべきである。また、この夏期の南中時において第２太陽光パネル２０の影が最長になるのは、春分の日或いは秋分の日である。そして、この最長の長さは、前述の式４中の「θｓ」をθｗに置き換えるとともに、同式４中の「Ｌ１」をＬ２に置き換えれば得ることができ、当該最長の長さが距離Ｄ２１’に相当するので、当該距離Ｄ２１’は下式６で表される。  
Ｄ２１’＝Ｌ２×ｃｏｓ（α−θｗ）
＋Ｌ２×ｔａｎ（α−θｍ）×ｓｉｎ（α−θｗ）    …  （６）
【０１１４】
よって、内側の第１太陽光パネル１０の外端縁１０ｅｓが、外側の第２太陽光パネル２０の外端縁２０ｅｓの位置から取り付け対象面３に沿う方向の内方に距離Ｄ２１’以上離れた位置に固定されていれば、第２太陽光パネル２０の影が、その内方に隣り合う第１太陽光パネル１０の受光面１０ａにかかることを、夏期の全ての南中時に亘って回避可能となる。
【０１１５】
このような第３態様に係る取り付け対象面３、つまり略水平面部６の具体例としては、基本的には、建物の水平な屋根部や緩勾配で傾斜した屋根部、水平な天窓部や緩勾配で傾斜した天窓部などが挙げられる。但し、取り付け対象面３は、現実には存在しない仮想面であっても良い。例えば、全面ガラス張りの建物の如く、屋根部の代用としてガラス板９が使用されている場合には、図２４に示す当該ガラス板９よりも屋内側の位置に第１太陽光パネル１０，１０…及び第２太陽光パネル２０，２０…を配置することが想定される。そして、かかる場合には、これら太陽光パネル１０，２０は屋内の柱や梁８ｂに設けられた適宜なステイ部材（不図示）に支持されることも有り得て、そうすると、取り付け対象面３に相当する構成が存在しなくても良いことになるが、その場合には、取り付け対象面３を仮想面と考えれば良い。
【０１１６】
ところで、上述の例では、第１太陽光パネル１０の受光面１０ａの傾き角度θ１を夏至仰角θｓと同値の固定値とし、また、第２太陽光パネル２０の受光面２０ａの傾き角度θ２を冬至仰角θｗと同値の固定値としていたが、何等これに限らない。すなわち、既述のように、第１太陽光パネル１０の傾き角度θ１については、θｍ＜θ１≦θｓの範囲（東京では、５５°＜θ１≦７８°）であれば任意値に設定して良く、また、第２太陽光パネル２０の傾き角度θ２についても、θｗ≦θ２＜θｍの範囲（東京では、３２°≦θ１＜５５°）であれば任意値に設定して良い。そして、それぞれこの範囲内に設定されれば、夏期には、第１太陽光パネル１０の受光面１０ａに太陽光が、より直角に近い入射角で入射し、他方、冬期には、第２太陽光パネル２０の受光面２０ａに太陽光が、より直角に近い入射角で入射することになり、これにより第１太陽光パネル１０及び第２太陽光パネル２０は、それぞれ夏期及び冬期の発電に特化したものとなる。
【０１１７】
更には、第１太陽光パネル１０の傾き角度θ１及び第２太陽光パネル２０の傾き角度θ２を、日毎に変更しても良い。例えば、図２５の概略側面図に示すように、傾き角度θ１を、春分の日から夏至の日にかけて日の経過と伴に、θｍよりも若干大きい所定角度θｍａからθｓへと漸増させる一方、夏至を境にこの動作を反転させて、つまり夏至の日から秋分の日にかけて日の経過と伴にθｓからθｍａへと漸減させても良い。また、同様に、傾き角度θ２の方も、秋分の日から冬至の日にかけて日の経過と伴に、θｍよりも若干小さいθｍｂからθｗへと漸減させる一方、冬至を境にこの動作を反転させて、つまり冬至の日から春分の日にかけて日の経過と伴にθｗからθｍｂへと漸増させても良い。
【０１１８】
そして、このように変更すれば、夏期の全ての日に亘って、南中時に太陽光がより直角に入射するような向きに、第１太陽光パネル１０の受光面１０ａを向けることができる一方、冬期の全ての日に亘って南中時に太陽光がより直角に入射するような向きに、第２太陽光パネル２０の受光面２０ａを向けることができる。その結果、太陽光発電装置のエネルギー変換効率を更に高めることができる。
【０１１９】
なお、秋分の日から冬至を経て春分の日に至る冬期には、第１太陽光パネル１０の傾き角度θ１は、例えばθｍ＜θ１≦θｓの範囲の所定角度に固定されても良く、また、春分の日から夏至を経て秋分の日に至る夏期には、第１太陽光パネル１０の傾き角度θ２は、例えばθｗ≦θ２＜θｍの範囲の所定角度に固定されても良い。
【０１２０】
このように第１太陽光パネル１０の傾き角度θ１を変更する変更機構（第３変更機構に相当）としては、図２５に示すように、第１太陽光パネル１０の外端縁１０ｅｓを回転軸として回転可能に支持するヒンジ部材等の軸支部材１８と、当該外端縁１０ｅｓ周り第１太陽光パネル１０を回動する電動モータ等の駆動源（不図示）と、駆動源を制御するコンピュータ等の制御部（不図示）と、を例示することができる。同様に、第２太陽光パネル２０の傾き角度θ２を変更する変更機構（第４変更機構に相当）としては、第２太陽光パネル２０の外端縁２０ｅｓを回転軸として回転可能に支持するヒンジ部材等の軸支部材２８と、当該外端縁２０ｅｓ周りに第２太陽光パネル２０を回動する電動モータ等の駆動源（不図示）と、駆動源を制御するコンピュータ等の制御部（不図示）と、を例示することができる。  
そして、どちらの制御部にあっても、ハードディスク等の記憶部を有し、また、同記憶部内には、年間の各日に対応付けて、各日の傾き角度θ１のデータ又は各日の傾き角度θ２のデータが格納されている。よって、制御部のプロセッサが、かかるデータに基づいて駆動源に回動角度の制御信号を送信することにより、上記の日毎の傾き角度θ１，θ２の変更が行われる。
【０１２１】
また、これらどちらの変更機構にあっても、駆動源として電動モータを用いた場合には、当該電動モータの作動に必要な動力を、第１太陽光パネル１０又は第２太陽光パネル２０で生成した電気の電力によって賄っても良い。その場合には、例えば、蓄電池を設け、第１太陽光パネル１０又は第２太陽光パネル２０で生成した電気を蓄電池に蓄えるようにし、そして、蓄電池から電動モータへと電力供給すれば良い。
【０１２２】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得ると共に、本発明にはその等価物が含まれるのはいうまでもない。例えば、以下に示すような変形が可能である。
【０１２３】
上述の実施形態では、構築物の一例としての建物に取り付け対象面３を設定していたが、何等これに限るものではない。例えば、地面を取り付け対象面３としても良く、或いは地面に構築された基礎の上面を取り付け対象面３としても良い。
【０１２４】
上述の実施形態では、第１太陽光パネル１０，１０同士の間の位置に第２太陽光パネルが配置されているか、或いは、第２太陽光パネル２０，２０同士の間の位置に第１太陽光パネル１０が配置されていたが、何等これに限るものではなく、第２太陽光パネル２０は、第１太陽光パネル１０，１０同士の間の位置に配置されていなくても良いし、第１太陽光パネル１０も、第２太陽光パネル２０，２０同士の間の位置に配置されていなくても良い。例えば、複数の第１太陽光パネル１０，１０…が所定ピッチで並んでなる第１太陽光パネル群の隣に、複数の第２太陽光パネル２０，２０…が所定ピッチで並んでなる第２太陽光パネル群が配置されていても良い。
【０１２５】
上述の実施形態の第１態様では、傾き角度αがθｓ−９０°＜α≦θｗの範囲の取り付け対象面３に取り付ける第１、第２太陽光パネル１０，２０の構成例として、図１のように、第１太陽光パネル１０の上端縁１０ｅｕ及び第２太陽光パネル２０の上端縁２０ｅｕをそれぞれ取り付け対象面３に当接固定した構成を示していたが、何等これに限るものではない。例えば、図１２Ａで既述の断面Ｖ字状のパネル対Ｇ１２の如き構成を、第１態様に係る傾き角度αの範囲（θｓ−９０°＜α≦θｗ）の取り付け対象面３に取り付けても良い。詳しくは、図２６の概略側面図に示すように、第１太陽光パネル１０の上端縁１０ｅｕを取り付け対象面３に当接固定するとともに、同第１太陽光パネル１０の下端縁１０ｅｕを第２太陽光パネル２０の上端縁２０ｅｕに連結することにより、断面Ｖ字形状の太陽光パネル対Ｇ１２を形成しても良い。なお、このパネル対Ｇ１２の下端縁２０ｅｄたる第２太陽光パネル２０の下端縁２０ｅｄは、取り付け対象面３から離間して浮いた状態になっているが、これは、第１太陽光パネル１０の受光面１０ａの傾き角度θ１が夏至仰角θｓに設定され、第２太陽光パネル２０の受光面２０ａの傾き角度θ２が冬至仰角θｗに設定されたことに因る。なお、この場合にも、取り付け対象面３に沿う方向の上下に複数のパネル対Ｇ１２，Ｇ１２…が所定ピッチで並んで配置されており、これにより、第１太陽光パネル１０と第２太陽光パネル２０とが上下方向に交互に並んで配置されている。
【０１２６】
更に、かかるパネル対Ｇ１２の構成においても、図１０で既述のように傾き角度θ１及び傾き角度θ２を、それぞれθｍ＜θ１≦θｓの範囲及びθｗ≦θ２＜θｍの範囲で日毎に変更しても良い。それを実現する構成例としては、例えば以下が挙げられる。すなわち、同図２６の構成例では、第１太陽光パネル１０の上端縁１０ｅｕを回転軸として回転可能に第１太陽光パネル１０を支持するヒンジ部材等の軸支部材１２と、当該上端縁１０ｅｕ周りに第１太陽光パネル１０を回動する電動モータ等の駆動源（不図示）と、第１太陽光パネル１０の下端縁１０ｅｄに第２太陽光パネル２０の上端縁２０ｅｕを当該上端縁２０ｅｕ周りに相対回転可能に連結するヒンジ部材３１と、当該上端縁２０ｅｕ周りに第２太陽光パネル２０を回動する電動モータ等の駆動源（不図示）と、これら駆動源を制御するコンピュータ等の制御部（不図示）と、を備えている。なお、制御部としては、前述の第１態様で説明した構成と同様のものを適用可能なので、その説明については省略する。
【０１２７】
上述の実施形態の第３態様では、傾き角度αがθｓ≦α＜θｗ＋９０°の範囲の取り付け対象面３に取り付ける第１及び第２太陽光パネル１０，２０の構成例として、図１７のように、第２太陽光パネル２０の外端縁２０ｅｓ及び第１太陽光パネル１０の外端縁１０ｅｓをそれぞれ取り付け対象面３に当接固定した構成を示していたが、何等これに限るものではない。例えば、図１２Ｂで既述の断面Ｖ字状のパネル対Ｇ１２の如き構成を、第３態様に係る傾き角度αの範囲（θｓ≦α＜θｗ＋９０°）の取り付け対象面３に取り付けても良い。詳しくは、図２７の概略側面図に示すように、第２太陽光パネル２０の外端縁２０ｅｓを取り付け対象面３に当接固定するとともに、同第２太陽光パネル１０の内端縁２０ｅｎを第１太陽光パネル１０の外端縁１０ｅｓに連結することにより、断面Ｖ字形状のパネル対Ｇ１２を形成しても良い。なお、このパネル対Ｇ１２の内端縁１０ｅｎたる第１太陽光パネル１０の内端縁１０ｅｎは、取り付け対象面３から離間して浮いた状態になっているが、これは、第２太陽光パネル２０の受光面２０ａの傾き角度θ２が冬至仰角θｗに設定され、第１太陽光パネル１０の受光面１０ａの傾き角度θ１が夏至仰角θｓに設定されたことに因る。なお、この場合にも、取り付け対象面３に沿う方向の側方方向の内外に複数のパネル対Ｇ１２，Ｇ１２…が所定ピッチで並んで配置されており、これにより、第１太陽光パネル１０と第２太陽光パネル２０とが側方方向に交互に並んで配置されている。
【０１２８】
更に、かかるパネル対Ｇ１２の構成においても、図２５で既述のように傾き角度θ１及び傾き角度θ２を、それぞれθｍ＜θ１≦θｓの範囲及びθｗ≦θ２＜θｍの範囲で日毎に変更しても良い。それを実現する構成例としては、例えば以下が挙げられる。すなわち、同図２７の構成例では、第２太陽光パネル２０の外端縁２０ｅｓを回転軸として第２太陽光パネル２０を回転可能に支持するヒンジ部材等の軸支部材１３と、当該外端縁２０ｅｓ周りに第２太陽光パネル２０を回動する電動モータ等の駆動源（不図示）と、第２太陽光パネル２０の内端縁２０ｅｎに第１太陽光パネル１０の外端縁１０ｅｓを当該外端縁１０ｅｓ周りに相対回転可能に連結するヒンジ部材３２と、当該外端縁１０ｅｓ周りに第１太陽光パネル１０を回動する電動モータ等の駆動源（不図示）と、これら駆動源を制御するコンピュータ等の制御部（不図示）と、を備えている。なお、制御部としては、前述の第３態様で説明した構成と同様のものを適用可能なので、その説明については省略する。
【０１２９】
上述の実施形態の第２態様では、傾き角度αがθｗ＜α＜θｓの範囲の取り付け対象面３に取り付ける第１及び第２太陽光パネル１０，２０の構成例として、図１１のようなパネル対Ｇ１２を示し、パネル対Ｇ１２の両端縁１０ｅｕ，２０ｅｄをそれぞれ取り付け対象面３に当接固定し、支持安定性の向上を図っていたが、何等これに限るものではない。  
例えば、図２８及び図２９に示すように、パネル対Ｇ１２の両端縁１０ｅｕ，２０ｅｄのうちの何れか一方の端縁１０ｅｕ（２０ｅｄ）のみを取り付け対象面３に当接固定し、他方の端縁２０ｅｄ（１０ｅｕ）を取り付け対象面３から離間させて浮かしても良い。図２８の例では、上端縁１０ｅｕを当接固定して下端縁２０ｅｄを離間させており、図２９の例では、逆に下端縁２０ｅｄを当接固定して上端縁１０ｅｕを離間させている。そして、このようにすれば、支持安定性は悪くなるが、意匠的に面白いものとなる。
【０１３０】
なお、かかるパネル対Ｇ１２の構成においても、傾き角度θ１及び傾き角度θ２を、それぞれθｍ＜θ１≦θｓの範囲及びθｗ≦θ２＜θｍの範囲で日毎に変更しても良い。それを実現する構成例としては、例えば以下が挙げられる。  
先ず、図２８の構成例から説明すると、この構成例の場合には、第１太陽光パネル１０の上端縁１０ｅｕを回転軸として第１太陽光パネル１０を回転可能に支持するヒンジ部材等の軸支部材１２と、当該上端縁１０ｅｕ周りに第１太陽光パネル１０を回動する電動モータ等の駆動源（不図示）と、第１太陽光パネル１０の下端縁１０ｅｄに第２太陽光パネル２０の上端縁２０ｅｕを当該上端縁２０ｅｕ周りに相対回転可能に連結するヒンジ部材１４と、当該上端縁２０ｅｕ周りに第２太陽光パネル２０を回動する電動モータ等の駆動源（不図示）と、これら駆動源を制御するコンピュータ等の制御部（不図示）と、を備えている。なお、制御部としては、前述の第１態様で説明した構成と同様のものを適用可能なので、その説明については省略する。
【０１３１】
他方、図２９の構成例の場合には、第２太陽光パネル２０の下端縁２０ｅｄを回転軸として第２太陽光パネル２０を回転可能に支持するヒンジ部材等の軸支部材１３と、当該下端縁２０ｅｄ周りに第２太陽光パネル２０を回動する電動モータ等の駆動源（不図示）と、第２太陽光パネル２０の上端縁２０ｅｕに第１太陽光パネル１０の下端縁１０ｅｄを当該下端縁１０ｅｄ周りに相対回転可能に連結するヒンジ部材１４と、当該下端縁１０ｅｄ周りに第１太陽光パネル１０を回動する電動モータ等の駆動源（不図示）と、これら駆動源を制御するコンピュータ等の制御部（不図示）と、を備えている。なお、制御部としては、前述の第１態様で説明した構成と同様のものを適用可能なので、その説明については省略する。
【０１３２】
更に、上述の実施形態の第２態様では、図１１に示すように第１太陽光パネル１０と第２太陽光パネル１０とが連結されてパネル対Ｇ１２をなしていたが、何等これに限るものではなく、連結されていなくても良い。すなわち、図３０の概略側面図の例では、第１太陽光パネル１０の下端縁１０ｅｄと第２太陽光パネル２０の上端縁２０ｅｕとが連結されておらず、互いの間に距離を隔てて設けられているが、このようにしても良い。但し、この非連結構成においても、前述のパネル対Ｇ１２の場合と同様に、第１太陽光パネル１０と第２太陽光パネル２０とを取り付け対象面３に沿う方向の上下に交互に並べて配置することは可能であり（図３０を参照）、当該構成によれば、上下に隣り合う第１太陽光パネル１０と第２太陽光パネル２０との両者で一組のパネル組Ｇ１２’と考えた場合に、当該パネル組Ｇ１２’は、図３０に示すように断面ハ字形状を呈し、意匠的に面白いものとなる。
【０１３３】
なお、かかるパネル組Ｇ１２’の構成においても、傾き角度θ１及び傾き角度θ２を、それぞれθｍ＜θ１≦θｓの範囲及びθｗ≦θ２＜θｍの範囲で日毎に変更しても良い。それを実現する構成例としては、例えば以下が挙げられる。すなわち、同図３０の例では、第１太陽光パネル１０の上端縁１０ｅｕを回転軸として第１太陽光パネル１０を回転可能に支持するヒンジ部材等の軸支部材１２と、当該上端縁１０ｅｕ周りに第１太陽光パネル１０を回動する電動モータ等の駆動源（不図示）と、第２太陽光パネル２０の下端縁２０ｅｄを回転軸として第２太陽光パネル２０を回転可能に支持するヒンジ部材等の軸支部材１３と、当該下端縁２０ｅｄ周りに第２太陽光パネル２０を回動する電動モータ等の駆動源（不図示）と、これら駆動源を制御するコンピュータ等の制御部（不図示）と、を備えている。なお、制御部としては、前述の第１態様で説明した構成と同様のものを適用可能なので、その説明については省略する。
【符号の説明】
【０１３４】
３  取り付け対象面、４  略鉛直面部、５  略斜面部、６  略水平面部、
８ａ  柱、８ｂ  梁、９  ガラス板、
１０  第１太陽光パネル（第１太陽光部材）、１０ａ  受光面、
１０ｅｕ  上端縁、１０ｅｄ  下端縁、１０ｅｓ  外端縁、１０ｅｎ  内端縁、
１０ｓ  内方部分、
１２  軸支部材、１３  軸支部材、
１４  第１ヒンジ部材（第１連結部）、
１５ａ  スライダー（第２連結部）、１５ｂ  第２ヒンジ部材（第２連結部）、
１６  第３ヒンジ部材（第３連結部）、
１８  軸支部材、
２０  第２太陽光パネル（第２太陽光部材）、２０ａ  受光面、
２０ｅｕ  上端縁、２０ｅｄ  下端縁、２０ｅｓ  外端縁、２０ｅｎ  内端縁、
２０ｄ  下部、
２２  軸支部材、２８  軸支部材、
３１  ヒンジ部材、３２  ヒンジ部材、
Ｇ１２  パネル対（太陽光部材対）、
Ｇ１２’  パネル組、
Ａｓ  鉛直面、Ｗ  窓部、
【図９】
2013168515.tif 000003
【図１３】
2013168515.tif 000004
【図２４】
2013168515.tif 000005
【図１】
2013168515.tif 000006
【図２】
2013168515.tif 000007
【図３】
2013168515.tif 000008
【図４】
2013168515.tif 000009
【図５】
2013168515.tif 000010
【図６】
2013168515.tif 000011
【図７】
2013168515.tif 000012
【図８】
2013168515.tif 000013
【図１０】
2013168515.tif 000014
【図１１】
2013168515.tif 000015
【図１２】
2013168515.tif 000016
【図１４】
2013168515.tif 000017
【図１５】
2013168515.tif 000018
【図１６】
2013168515.tif 000019
【図１７】
2013168515.tif 000020
【図１８】
2013168515.tif 000021
【図１９】
2013168515.tif 000022
【図２０】
2013168515.tif 000023
【図２１】
2013168515.tif 000024
【図２２】
2013168515.tif 000025
【図２３】
2013168515.tif 000026
【図２５】
2013168515.tif 000027
【図２６】
2013168515.tif 000028
【図２７】
2013168515.tif 000029
【図２８】
2013168515.tif 000030
【図２９】
2013168515.tif 000031
【図３０】
2013168515.tif 000032